(57)【特許請求の範囲】
【請求項１】
光信号を相互に送受信する複数の光ノードと、前記各光ノードに接続される管理計算機とを備える光ネットワークシステムであって、
前記複数の光ノードは、光スイッチを有し、
前記複数の光ノードは、第１の光ノードと、前記第１の光ノードと接続され、かつ、前記第１の光ノードによって送信された第１の光信号を受信する第２の光ノードと、を含み、
前記管理計算機は、
前記第１の光ノード及び前記第２の光ノードの前記光スイッチに前記第１の光信号が通過するパスを生成するため、前記第１の光ノードの前記光スイッチを切り替えるための切替指示を送信し、
前記第２の光ノードの前記光スイッチを切り替えるための第１のフラグを含む切替指示を、前記第１の光ノードの光スイッチが切替えを開始してから安定して前記第１の光信号を出力できるまでの時間を待つことなく、送信し、
前記第１の光ノードは、前記管理計算機から送信された切替指示を受信後、前記光スイッチの切替えを開始し、
前記第２の光ノードは、
前記第１のフラグを含む切替指示を前記管理計算機から受信後、前記光スイッチの切替えを開始し、
前記第１のフラグを含む切替指示を受信後、前記第１の光ノードの光スイッチが安定して前記第１の光信号を出力でき、かつ、前記第２の光ノードの光スイッチが安定して前記第１の光信号を出力できるまでの時間、前記第１の光信号を遮断することを特徴とする光ネットワークシステム。
【請求項２】
前記第２の光ノードは、
前記複数の光ノードによって生成されたパスにおいて、前記第１の光信号を分岐する光ノード、又は、前記第１の光信号を分岐する光ノードの直前に配置された光ノードであり、
前記第１の光信号が通過するパスにおいて、最後に通過する光スイッチを有し、
前記第１のフラグを含む前記切替指示を受信後、前記第１の光ノードの光スイッチが安定して前記第１の光信号を出力でき、かつ、前記第２の光ノードの光スイッチが安定して前記第１の光信号を出力できるまでの時間、前記第２の光ノードが有する前記第１の光信号が最後に通過する光スイッチに、前記第１の光信号を遮断させることを特徴とする請求項１に記載の光ネットワークシステム。
【請求項３】
前記複数の光ノードは、前記第２の光ノードと接続され、かつ、前記第２の光ノードから送信された第１の光信号を受信する第３の光ノードを含み、
前記管理計算機は、前記第３の光ノードの前記光スイッチを切り替えるための第２のフラグを含む切替指示を、前記第２の光ノードの光スイッチが切替えを開始してから安定して前記第１の光信号を出力できるまでの時間を待つことなく、前記第３の光ノードに送信し、
前記第３の光ノードは、前記第２のフラグを含む前記切替指示を受信後、前記第２の光ノードが有する光スイッチが安定して前記第１の光信号を出力できるようになるまでの時間と、前記第３の光ノードが有する光スイッチが安定して前記第１の光信号を出力できるようになるまでの時間との合計時間、前記第１の光信号を遮断することを特徴とする請求項１に記載の光ネットワークシステム。
【請求項４】
前記第２の光ノードは、
前記第１の光信号が前記第２の光ノードを通過するため、前記第１の光信号のパスを切替える第２の光スイッチと、
前記第２の光スイッチから出力された前記第１の光信号の光レベルを測定する第１の測定部と、
前記第２の光スイッチ及び前記第１の測定部を制御する第１の制御部と、を有し、
前記第１の制御部は、
前記第２の光ノードが前記第１のフラグを含む切替指示を受信後、前記第２の光スイッチに、前記第１の測定部が前記第１の光信号を測定できる最低レベルまで前記第１の光信号の光レベルを低減させ、前記測定部のみに前記第１の光信号を出力させることによって、前記第１の光信号を遮断し、前記第１の測定部によって測定された、前記第２の光スイッチから出力される第１の光信号の光レベルが一定値に収束しているか否かを判定し、
前記判定の結果、前記第２の光スイッチから出力される第１の光信号の光レベルが一定値に収束している場合、前記第２の光スイッチに、前記第１の光信号を通過させることを特徴とする請求項１に記載の光ネットワークシステム。
【請求項５】
前記第２の光ノードは、
前記第１の光信号を前記第２の光ノードから分岐させるため、前記第１の光信号のパスを切替える第３の光スイッチと、
前記第３の光スイッチへ入力される前記第１の光信号の光レベルを測定する第２の測定部と、
前記第３の光スイッチ及び前記第２の測定部を制御する第２の制御部と、を有し、
前記第２の制御部は、
前記第２の光ノードが前記第１のフラグを含む切替指示を受信後、前記第３の光スイッチによって、前記第１の光信号を遮断し、前記第２の測定部によって測定された、前記第３の光スイッチに出力される第１の光信号の光レベルが一定値に収束しているか否かを判定し、
前記判定の結果、前記第３の光スイッチに出力される第１の光信号の光レベルが一定値に収束している場合、前記第３の光スイッチに、前記第１の光信号を通過させることを特徴とする請求項１に記載の光ネットワークシステム。
【請求項６】
光信号を相互に送受信する複数の光ノードと、前記各光ノードに接続される管理計算機とを備える光ネットワークシステムによる光伝送方法であって、
前記複数の光ノードは、光スイッチを有し、
前記複数の光ノードは、第１の光ノードと、前記第１の光ノードと接続され、かつ、前記第１の光ノードによって送信された第１の光信号を受信する第２の光ノードと、を含み、
前記方法は、
前記管理計算機が、前記第１の光ノード及び前記第２の光ノードの前記光スイッチに前記第１の光信号が通過するパスを生成するため、前記第１の光ノードの前記光スイッチを切り替えるための切替指示を送信し、
前記管理計算機が、前記第２の光ノードの前記光スイッチを切り替えるための第１のフラグを含む切替指示を、前記第１の光ノードの光スイッチが切替えを開始してから安定して前記第１の光信号を出力できるまでの時間を待つことなく、送信し、
前記第１の光ノードが、前記管理計算機から送信された切替指示を受信後、前記光スイッチの切替えを開始し、
前記第１のフラグを含む切替指示を前記管理計算機から受信後、前記第２の光ノードが、前記光スイッチの切替えを開始し、
前記第１のフラグを含む切替指示を受信後、前記第２の光ノードが、前記第１の光ノードの光スイッチが安定して前記第１の光信号を出力でき、かつ、前記第２の光ノードの光スイッチが安定して前記第１の光信号を出力できるまでの時間、前記第１の光信号を遮断することを特徴とする光伝送方法。
【請求項７】
前記第２の光ノードは、
前記複数の光ノードに生成されたパスにおいて、前記第１の光信号を分岐する光ノード、又は、前記第１の光信号を分岐する光ノードの直前に配置された光ノードであり、
前記第１の光信号が通過するパスにおいて、最後に通過する光スイッチを有し、
前記方法は、
前記第１のフラグを含む前記切替指示を受信後、前記第２の光ノードが、前記第１の光ノードの光スイッチが安定して前記第１の光信号を出力でき、かつ、前記第２の光ノードの光スイッチが安定して前記第１の光信号を出力できるまでの時間、前記第２の光ノードが有する前記第１の光信号が最後に通過する光スイッチに、前記第１の光信号を遮断させることを特徴とする請求項６に記載の光伝送方法。
【請求項８】
前記複数の光ノードは、前記第２の光ノードと接続され、かつ、前記第２の光ノードから送信された第１の光信号を受信する第３の光ノードを含み、
前記方法は、
前記管理計算機が、前記第３の光ノードの前記光スイッチを切り替えるための第２のフラグを含む切替指示を、前記第２の光ノードの光スイッチが切替えを開始してから安定して前記第１の光信号を出力できるまでの時間を待つことなく、前記第３の光ノードに送信し、
前記第２のフラグを含む前記切替指示を受信後、前記第３の光ノードが、前記第２の光ノードが有する光スイッチが安定して前記第１の光信号を出力できるようになるまでの時間と、前記第３の光ノードが有する光スイッチが安定して前記第１の光信号を出力できるようになるまでの時間との合計時間、前記第１の光信号を遮断することを特徴とする請求項６に記載の光伝送方法。
【請求項９】
前記第２の光ノードは、
前記第１の光信号が前記第２の光ノードを通過するため、前記第１の光信号のパスを切替える第２の光スイッチと、
前記第２の光スイッチから出力された前記第１の光信号の光レベルを測定する第１の測定部と、
前記第２の光スイッチ及び前記第１の測定部を制御する第１の制御部と、を有し、
前記方法は、
前記第２の光ノードが前記第１のフラグを含む切替指示を受信後、前記第１の制御部が、前記第２の光スイッチに、前記第１の測定部が前記第１の光信号を測定できる最低レベルまで前記第１の光信号の光レベルを低減させ、前記測定部のみに前記第１の光信号を出力させることによって、前記第１の光信号を遮断し、前記第１の測定部によって測定された、前記第２の光スイッチから出力される第１の光信号の光レベルが一定値に収束しているか否かを判定し、
前記判定の結果、前記第２の光スイッチから出力される第１の光信号の光レベルが一定値に収束している場合、前記第１の制御部が、前記第２の光スイッチに、前記第１の光信号を通過させることを特徴とする請求項６に記載の光伝送方法。
【請求項１０】
前記第２の光ノードは、
前記第１の光信号を前記第２の光ノードから分岐させるため、前記第１の光信号のパスを切替える第３の光スイッチと、
前記第３の光スイッチへ入力される前記第１の光信号の光レベルを測定する第２の測定部と、
前記第３の光スイッチ及び前記第２の測定部を制御する第２の制御部と、を有し、
前記方法は、
前記第２の光ノードが前記第１のフラグを含む切替指示を受信後、前記第２の制御部が、前記第３の光スイッチによって、前記第１の光信号を遮断し、前記第２の測定部によって測定された、前記第３の光スイッチに出力される第１の光信号の光レベルが一定値に収束しているか否かを判定し、
前記判定の結果、前記第３の光スイッチに出力される第１の光信号の光レベルが一定値に収束している場合、前記第２の制御部が、前記第３の光スイッチに、前記第１の光信号を通過させることを特徴とする請求項６に記載の光伝送方法。
【発明の詳細な説明】
【技術分野】
【０００１】
本発明は、光ネットワークシステムに関し、特に、光スイッチを有する光ネットワークに関する。
【背景技術】
【０００２】
インターネットに代表される通信ネットワークにおけるデータトラフィックの急増によって、通信ネットワークの伝送信号の大容量化が進んでいる。伝送信号の大容量化は、伝送信号の光信号への変換と、光信号の時分割多重技術及び光波長多重技術とによって実現されている。
【０００３】
具体的には、現在、伝送信号の大容量化のため、１チャネルあたり毎秒１０Ｇｂｉｔ／ｓ、４０Ｇｂｉｔ／ｓ、及び、１００Ｇｂｉｔ／ｓの光信号を送受信する伝送装置が実用化されている。また、数チャネルから数十チャネル分の時分割多重された光信号を、１本の光ファイバに波長多重し、光増幅器又は再生中継器等を用いて、数百ｋｍを超える長距離伝送が可能なポイント・ツー・ポイント型の波長多重伝送装置が実用化されている。
【０００４】
また、今後の伝送容量の需要の増加、さらなるコストの削減、及び、サービスの多様化に対応するため、光信号を用いた通信ネットワークにおいて、リング型光ネットワーク、マルチリング型光ネットワーク、及び、メッシュ型光ネットワークが導入されている。リング型光ネットワークは、光伝送システムを環状に接続したネットワークであり、マルチリング型光ネットワークは、複数のリング型光ネットワークを一部の接点において接続したネットワークである。また、メッシュ型光ネットワークは、更にパス選択の自由度を増すために、各接点を網目状に接続した光ネットワークである。
【０００５】
このような各光ネットワークには、光信号を送受信するための光伝送システムが備わり、光伝送システムには、従来から、光分岐挿入装置（ＯＡＤＭ（Ｏｐｔｉｃａｌ  Ａｄｄ−Ｄｒｏｐ  Ｍｕｌｔｉｐｌｅｘｅｒ）装置）、及び、光クロスコネクト装置（ＯＸＣ（Ｏｐｔｉｃａｌ  Ｃｒｏｓｓ−Ｃｏｎｎｅｃｔ）装置）が提案されている（例えば、特許文献１参照）。
【０００６】
リング型光ネットワークにおいて用いられる光伝送システムは、ＯＡＤＭ装置と呼ばれる。ＯＡＤＭ装置は、二本の光伝送路に接続される光ノードである。ＯＡＤＭ装置は、リング型光ネットワークにおいて、他のＯＡＤＭ装置と光伝送路を介して相互に接続される。
【０００７】
また、マルチリング型光ネットワークにおいて、リング型光ネットワークを接続するための接点に用いられる光伝送システムは、ＯＸＣ装置と呼ばれる。また、ＯＸＣ装置は、メッシュ型光ネットワークにおける接点にも、用いられる。
【０００８】
ＯＸＣ装置は、三本以上の光伝送路に接続される光ノードである。ＯＸＣ装置は、マルチリング型光ネットワーク及びメッシュ型光ネットワークにおいて、ＯＡＤＭ装置及び他のＯＸＣ装置と光伝送路を介して接続される。
【０００９】
このような光ネットワークは、各光ノードを遠隔から一元管理する網監視制御システムを備えることによって、運用の簡素化を図ることができる。また、各ノードが有する監視制御部が、相互連携をすることによって、光ネットワークの回線の始点から終点までの、エンド・ツー・エンドのパス管理の容易化、及び、パス設定の高速化を図ることができる。さらに、光ネットワークにおいて高度な光伝送技術を用いて、光信号を電気信号に変換せず、光信号のまま光ノードを通過（スルー）させることによって、網全体のコストを削減できる。
【００１０】
ＯＡＤＭ装置、及び、ＯＸＣ装置には、光信号をＡｄｄ（挿入）、Ｄｒｏｐ（分岐）、又は、Ｔｈｒｏｕｇｈ（通過）させるための選択、又は、光信号のパス切替などの光スイッチ機能を実現するため、光スイッチが実装される。現在、用いられる光スイッチには、ＰＬＣ（Ｐｌａｎａｒ  Ｌｉｇｈｔｗａｖｅ  Ｃｉｒｃｕｉｔ）型光スイッチ、Ｍｉｃｒｏ−Ｅｌｅｃｔｒｏ−Ｍｅｃｈａｎｉｃａｌ  Ｓｙｓｔｅｍｓ（ＭＥＭＳ）型光スイッチ、ＬＣｏＳ（Ｌｉｑｕｉｄ  Ｃｒｙｓｔａｌ  ｏｎ  Ｓｉｌｉｃｏｎ）型光スイッチ等が知られている。
【００１１】
ＰＬＣ型光スイッチは、材料に熱を加えることによって生じる屈折率変化を応用した技術によって光信号のパス切替等を行う。ＭＥＭＳ型光スイッチは、半導体技術によって生成された微小なミラーを、静電力を利用して制御することによって、光信号のパス切替等を行う。また、ＬＣｏＳ型光スイッチは、ＬＣｏＳ技術によって構成されたフェーズドアレイによって、光ビームの偏向を制御する。
【００１２】
また、ＭＥＭＳ型光スイッチ、及び、ＬＣｏＳ型光スイッチは、前述の単なる光スイッチ機能だけではなく、波長多重機能も備えた波長選択スイッチ（Ｗａｖｅｌｅｎｇｔｈ  Ｓｅｌｅｃｔｉｖｅ  Ｓｗｉｔｃｈ；ＷＳＳ）機能を実現することが可能である。例えば、１ｘＮＷＳＳデバイスは、入力ポート数１及び出力ポート数ＮのＷＳＳデバイスであり、所定の制御信号が入力されることによって、Ｐｏｒｔ１からＰｏｒｔＮまでの任意の出力ポートに任意の波長を出力することができる。
【００１３】
また、Ｎｘ１ＷＳＳデバイスは、入力ポート数Ｎ及び出力ポート数１のＷＳＳデバイスであり、所定の制御信号を入力することによって、Ｐｏｒｔ１からＰｏｒｔＮまでの任意の入力ポートの任意の波長を選択し、選択された波長の波長多重光を出力ポートから出力させることができる。また、一般的には、これらの１ｘＮＷＳＳデバイス、及び、Ｎｘ１ＷＳＳデバイスは、各波長の透過損失を制御することによって、波長単位の光レベルのばらつきを低減し、光レベルを一定に制御することが可能である。このようなＷＳＳデバイスは、複数伝送路との接続が必要とされる光ネットワークにおいて、近年幅広く利用されつつある。
【先行技術文献】
【特許文献】
【００１４】
【特許文献１】特開２０１１−０１９１６５号公報
【発明の概要】
【発明が解決しようとする課題】
【００１５】
ＯＡＤＭ装置及びＯＸＣ装置（以下、光ノードと総称する）は、光ネットワークにおいて、光スイッチ機能によって、光信号が通過するパスを切替える。すなわち、光ノードは、特定の光信号のパスを切替える指示を制御システム等から受信した場合、指示に従って、自らが有する光スイッチを切替える。
【００１６】
一般的に、光スイッチがパスを切替える指示を受信してから、光スイッチが安定した光レベルを送信できるまで、一定の時間が必要である。このため、光信号のパスに複数の光ノードが含まれ、光信号のパス上の光ノードが光信号のパスを切替える場合、各光ノードの光スイッチの切替えが終了するまでに時間が必要である。
【００１７】
光スイッチを切替える処理の間に光信号が光ネットワークを通過した場合、各光ノードの光スイッチから送信される光レベルは、不安定である。そして、この不安定な光レベルである光信号が他の光ノードに送信され、光信号が送信された他の光ノードの光スイッチも切替えが終了していない場合、光信号の光レベルはさらに不安定となる。
【００１８】
この結果、複数の光ノードを経由して送信された光信号の光レベルは、顕著に不安定になり、いずれかの光ノードによって受信された際に、受信された光ノードにおいてオーバーシュート、すなわち、過剰な光レベルの光信号が発生する可能性がある。そして、オーバーシュートが発生する結果、光ノードが有する受光素子（トランスポンダ等）が破壊される場合がある。
【００１９】
従来、このようなオーバーシュートの発生を防ぐため、光信号のパスを切替える指示を送信する制御システムは、一つの光ノードにおける光スイッチが切替わり終わるまでの待機時間を待ち、待機時間の終了後、次の光ノードに光スイッチの切替えを指示していた。しかし、このような待機時間が蓄積することによって、光信号の送信が遅延するという問題があった。
【００２０】
さらに、ＷＳＳデバイスを用いた光スイッチは、光スイッチを切替え始めてから光レベルから送信される光信号が安定するまでの時間が、ＷＳＳデバイスを用いない光スイッチよりも一般的に長い。すなわち、ＷＳＳデバイスを用いた光ネットワークにおいて、前述のような方法によって光信号のパスが開通された場合、光ネットワークを用いるオペレーターが耐え得ないほど長時間のパスを切替えるための時間がかかる事態が予測される。
【００２１】
このため、ＷＳＳデバイスを用いる光ネットワークにおいて、光信号の送信を高速化するためには、光スイッチが切替わるまでの待機時間を短縮する必要があった。
【００２２】
本発明は、このような問題に基づいたものであり、パスを切替えるための時間（パス開通時間）が、前述のようなＷＳＳを有するなどの、デバイスの構成又は特性に起因して、長時間になることを防ぎ、パス開通時間を短縮する方法を提供するものである。また、パス開通処理時の各光ノードにおけるオーバーシュートを未然に防ぐものである。
【課題を解決するための手段】
【００２３】
本発明の代表的な一形態によると、光信号を相互に送受信する複数の光ノードと、前記各光ノードに接続される管理計算機とを備える光ネットワークシステムであって、前記複数の光ノードは、光スイッチを有し、前記複数の光ノードは、第１の光ノードと、前記第１の光ノードと接続され、かつ、前記第１の光ノードによって送信された第１の光信号を受信する第２の光ノードと、を含み、前記管理計算機は、前記第１の光ノード及び前記第２の光ノードの前記光スイッチに前記第１の光信号が通過するパスを生成するため、前記第１の光ノードの前記光スイッチを切り替えるための切替指示を送信し、前記第２の光ノードの前記光スイッチを切り替えるための第１のフラグを含む切替指示を、前記第１の光ノードの光スイッチが切替えを開始してから安定して前記第１の光信号を出力できるまでの時間を待つことなく、送信し、前記第１の光ノードは、前記管理計算機から送信された切替指示を受信後、前記光スイッチの切替えを開始し、前記第２の光ノードは、前記第１のフラグを含む切替指示を前記管理計算機から受信後、前記光スイッチの切替えを開始し、前記第１のフラグを含む切替指示を受信後、前記第１の光ノードの光スイッチが安定して前記第１の光信号を出力でき、かつ、前記第２の光ノードの光スイッチが安定して前記第１の光信号を出力できるまでの時間、前記第１の光信号を遮断する。
【発明の効果】
【００２４】
本発明の代表的な一形態によると、パス開通時間を短縮することができる。
【図面の簡単な説明】
【００２５】
【図１】本発明の第１の実施形態の光ネットワークを示す説明図である。
【図２】本発明の第１の実施形態のＯＸＣ装置の基本的な物理構成を示すブロック図である。
【図３】本発明の第１の実施形態のＯＳＳが待機時間を待機してから各光ノードに光スイッチ切替指示を送信する処理を示すシーケンス図である。
【図４】本発明の第１の実施形態の光信号を遮断するＯＸＣ装置の物理的構成を示すブロック図である。
【図５】本発明の第１の実施形態のＯＳＳが待機時間を待つことなく各光ノードに光スイッチ切替指示を送信する処理を示すシーケンス図である。
【図６】本発明の第１の実施形態の損失一定制御の処理を示すフローチャートである。
【図７】本発明の第２の実施形態のＯＳＳが待機時間を待つことなく各光ノードに光スイッチ切替指示を送信する処理を示すシーケンス図である。
【図８】本発明の第３の実施形態のＯＳＳが待機時間を待つことなく各光ノードに光スイッチ切替指示を送信する処理を示すシーケンス図である。
【図９】本発明の第４の実施形態の光信号を遮断するＯＸＣ装置の物理的構成を示すブロック図である。
【図１０】本発明の第４の実施形態のＯＳＳが待機時間を待つことなく各光ノードに光スイッチ切替指示を送信する処理を示すシーケンス図である。
【図１１】本発明の第４の実施形態の１ｘＮＷＳＳ切替制御部による損失一定制御の処理を示すフローチャートである。
【図１２】本発明の第５の実施形態のＯＳＳが待機時間を待つことなく各光ノードに光スイッチ切替指示を送信する処理を示すシーケンス図である。
【図１３】本発明の第６の実施形態のＯＳＳが待機時間を待つことなく各光ノードに光スイッチ切替指示を送信する処理を示すシーケンス図である。
【発明を実施するための形態】
【００２６】
本発明は、光ノードへの光スイッチ切替指示を待機時間を待つことなく送信することによって、パス開通時間を短縮する。
【００２７】
以下、本発明の実施の形態について図面を参照しながら詳細に説明する。
【００２８】
（第１の実施形態）
図１は、本発明の第１の実施形態の光ネットワークを示す説明図である。
【００２９】
図１に示す光ネットワークは、マルチリング型ネットワークであり、複数の光ノードを有する。具体的には、図１に示す光ネットワークは、ＯＸＣ装置１０３、及び、複数のＯＡＤＭ装置１０２（１０２Ａ、１０２Ｂ、１０２Ｄ〜１０２Ｇ）を有する。ＯＸＣ装置１０３、及び、各ＯＡＤＭ装置１０２は、伝送路１０１によって相互に接続される。
【００３０】
本実施形態において、図１に示す光ネットワークにおける、ＯＸＣ装置１０３をＣ局、ＯＡＤＭ装置１０２ＡをＡ局、ＯＡＤＭ装置１０２ＢをＢ局、ＯＡＤＭ装置１０２ＤをＤ局、ＯＡＤＭ装置１０２ＥをＥ局、ＯＡＤＭ装置１０２ＦをＦ局、ＯＡＤＭ装置１０２ＧをＧ局と記載する。
【００３１】
図１に示すＯＸＣ装置１０３は、四つの方路（方路１〜方路４）に接続され、各方路は、伝送路１０１に接続される。ＯＡＤＭ装置１０２は、二つの方路（方路１及び方路２）に接続される。各方路は、伝送路１０１に接続される。伝送路１０１は、光ファイバ等の、光信号を送受信するための伝送路である。
【００３２】
なお、図１のＯＸＣ装置１０３は四つの方路に接続されたが、本実施形態のＯＸＣ装置１０３は、三つ以上であれば、いくつの方路に接続されてもよい。
【００３３】
図１のＯＸＣ装置１０３及びＯＡＤＭ装置１０２は、ＯＳＳ（Ｏｐｅｒａｔｉｏｎｓ  Ｓｕｐｐｏｒｔ  Ｓｙｓｔｅｍｓ）１１４に、ＤＣＮ（Ｄａｔａ  Ｃｏｍｍｕｎｉｃａｔｉｏｎ  Ｎｅｔｗｏｒｋ）１１５を介して接続される。図１に示す光ネットワークの管理者等は、光信号のパスを開通させるため、ＯＳＳ１１４を介して光信号のパスを切替える指示（以下、光スイッチ切替指示と記載）を、ＯＸＣ装置１０３及びＯＡＤＭ装置１０２に送信する。
【００３４】
以下の説明において、Ａ局、Ｂ局、Ｃ局、Ｄ局及びＥ局の順に光信号を送信するための光スイッチ切替指示を、ＯＳＳ１１４がＡ局、Ｂ局、Ｃ局、Ｄ局及びＥ局に送信する場合の処理を示す。
【００３５】
図２は、本発明の第１の実施形態のＯＸＣ装置１０３−１の基本的な物理構成を示すブロック図である。
【００３６】
図２に示すＯＸＣ装置１０３−１は、光信号の送信を遮断する後述の機能を保持せず、光信号を送受信する基本的なＯＸＣ装置１０３の機能のみを保持する。図２に示すＯＸＣ装置１０３−１は、Ｎ個の方路に接続される。Ｎ個の方路は、伝送路１０１に接続され、伝送路１０１を介して、他のＯＸＣ装置１０３又はＯＡＤＭ装置１０２に接続される。
【００３７】
ＯＸＣ装置１０３−１は、ＤＣＮ１１５に接続され、ＤＣＮ１１５を介してＯＳＳ１１４に接続される。ＯＳＳ１１４は、プロセッサ及びメモリを有し、ＯＸＣ装置１０３及びＯＡＤＭ装置１０２に光スイッチ切替指示を送信するための計算機システムである。ＤＣＮ１１５は、ＯＳＳ１１４とＯＡＤＭ装置１０２又はＯＸＣ装置１０３を接続するためのネットワークである。
【００３８】
管理者等は、ＯＳＳ１１４を介してＯＸＣ装置１０３−１を含む光ネットワークに、光信号のパスを開通する。ＯＳＳ１１４は、管理者等によって入力された各波長の光信号のパスを示す情報に従って、いずれのＯＡＤＭ装置１０２又はＯＸＣ装置１０３に光スイッチ切替指示を送信するか、及び、ＯＡＤＭ装置１０２又はＯＸＣ装置１０３にどのようにパスを切替えさせるかを決定する。
【００３９】
そして、ＯＳＳ１１４は、決定された結果を含む、光波長パス設定を生成する。そして、生成された光波長パス設定を含む光スイッチ切替指示を、各ＯＡＤＭ装置１０２又はＯＸＣ装置１０３のノード監視制御機能部１１６に送信する。
【００４０】
図２に示すＯＸＣ装置１０３−１は、ノード監視制御機能部１１６とＮ個のＮｘ１ＷＳＳ機能部１２３（１２３−１〜１２３−Ｎ）とを有する。ノード監視制御機能部１１６は、光スイッチ切替指示をＯＳＳ１１４から送信された場合、受信した光スイッチ切替指示に含まれる光波長パス設定が示す、特定の波長の光信号のパスの切替えをＮｘ１ＷＳＳ機能部１２３に指示するための指示内容を生成する。
【００４１】
ノード監視制御機能部１１６は、通信制御部１１７−１、プロセッサ１１８−１、構成管理情報格納部１１９、及び、波長パス情報格納部１２０を有する。プロセッサ１１８−１は、ＣＰＵ等の演算装置である。構成管理情報格納部１１９、及び、波長パス情報格納部１２０は、メモリ等の記憶部に接続される。
【００４２】
構成管理情報格納部１１９は、ＯＸＣ装置１０３−１が有する物理的な構成情報、即ち、ＯＸＣ装置１０３−１が有する各処理部等の構成情報を保持する。構成管理情報格納部１１９は、例えば、ＯＸＣ装置１０３−１にＮｘ１ＷＳＳ機能部１２３が何方路分実装されているか、トランスポンダ１１２が何波長分実装されているか等を示す情報を保持する。
【００４３】
波長パス情報格納部１２０は、各方路の光波長パス設定を保持する。構成管理情報格納部１１９、及び、波長パス情報格納部１２０は、プロセッサ１１８−１と、通信線によって接続される。プロセッサ１１８−１は、波長パス情報格納部１２０及び構成管理情報格納部１１９に格納される情報と、受信した光スイッチ切替指示とに基づいて、光波長パス設定に、各Ｎｘ１ＷＳＳ機能部１２３への指示を含める。
【００４４】
具体的には、プロセッサ１１８−１は、光スイッチ切替指示に含まれる光信号の波長とその波長の光信号の送信元の宛先及び送信先の宛先（すなわち、送信元の方路と送信先の方路を示す情報）とを、パスを切替える波長の光信号の情報として取得する。また、波長パス情報格納部１２０に含まれる光波長パス設定から、パスを切替える波長がいずれの方路から送信されていたか、又は、いずれの方路からも送信されていないかを示す情報を取得する。また、構成管理情報格納部１１９から、いずれのＮｘ１ＷＳＳ機能部１２３がどの方路に光信号を送信しているかを示す情報を取得する。
【００４５】
そして、プロセッサ１１８−１は、取得された各情報から、いずれのＮｘ１ＷＳＳ１２６に、いずれのポート（各方路又はトランスポンダに接続される）からの光信号を、Ａｄｄ（挿入）、Ｔｈｒｏｕｇｈ（通過）、又は、Ｄｒｏｐ（分岐）させるかを決定する。そして、決定された結果を、光波長パス設定に含める。
【００４６】
Ｎｘ１ＷＳＳ機能部１２３は、ＯＸＣ装置１０３−１が接続される各方路に対応して配置される。Ｎｘ１ＷＳＳ機能部１２３は、各方路から入力される光信号を、他の方路へ出力されるよう切替えるための装置である。
【００４７】
Ｎｘ１ＷＳＳ機能部１２３は、受信光増幅器１０５、送信光増幅器１０６、光カプラ１１３、通信制御部１１７−２、プロセッサ１１８−２、ＷＳＳ損失値情報格納部１２４、１ｘＮ光カプラ１２５、Ｎｘ１ＷＳＳ１２６、光インタフェース機能部１２８、光チャネルモニタ（Ｏｐｔｉｃａｌ  Ｃｈａｎｎｅｌ  Ｍｏｎｉｔｏｒ；ＯＣＭ）１２９、Ｎｘ１ＷＳＳ切替制御部１３０、及び、光レベル一定制御部１３１を有する。
【００４８】
受信光増幅器１０５は、方路から入力された光信号の光レベルを増幅する。送信光増幅器１０６は、方路へ出力される光信号の光レベルを増幅する。
【００４９】
光カプラ１１３は、入力された一つの光信号を二つの光信号に分岐する。通信制御部１１７−２は、ノード監視制御機能部１１６の通信制御部１１７−１と通信し、通信制御部１１７−１から光波長パス設定を受信する。
【００５０】
プロセッサ１１８−２は、ＣＰＵ等の演算装置であり、Ｎｘ１ＷＳＳ機能部１２３が有する装置に光波長パス設定を送信する。ＷＳＳ損失値情報格納部１２４は、Ｎｘ１ＷＳＳ１２６における光信号の損失値を保持する。１ｘＮ光カプラ１２５は、一つの光信号をＮ個の光信号に分岐する。
【００５１】
Ｎｘ１ＷＳＳ１２６は、各Ｎｘ１ＷＳＳ機能部１２３の１ｘＮ光カプラ１２５から送信された（Ｎ−１）個の光信号と、光インタフェース機能部１２８から送信された一つの光信号とを、一つの光信号に合波する。また、Ｎｘ１ＷＳＳ１２６は、光スイッチである。
【００５２】
なお、本実施形態における光スイッチは、ＷＳＳであるが、光スイッチであればいかなる光スイッチでもよい。
【００５３】
光インタフェース機能部１２８は、トランスポンダを有する。光インタフェース機能部１２８が有するトランスポンダは、ＯＸＣ装置１０３−１において分岐される光信号を受信する。また、ノード監視制御機能部１１６から送信された発光指示に従って、光信号を発光する。すなわち、光インタフェース機能部１２８が有するトランスポンダは、光ネットワークにおいて開通されるパスの始点又は終点である。
【００５４】
ＯＣＭ１２９は、光カプラ１１３から送信される光信号を受信し、受信した光信号の光レベルを、波長ごとに測定する。Ｎｘ１ＷＳＳ切替制御部１３０は、Ｎｘ１ＷＳＳ１２６のポートの切替えを制御することによって、光信号のパスをＮｘ１ＷＳＳ１２６に切替えさせる。
【００５５】
光レベル一定制御部１３１は、安定した光レベルの光信号を他の光ノードに送信できるようにＮｘ１ＷＳＳ１２６を制御する。光レベル一定制御部１３１に制御されることによって、Ｎｘ１ＷＳＳ機能部１２３から出力される光信号の光レベルは、一定値に安定する。
【００５６】
Ｎｘ１ＷＳＳ機能部１２３が有するプロセッサ１１８−２とノード監視制御機能部１１６が有するプロセッサ１１８−１とは、通信制御部１１７−１及び通信制御部１１７−２を介して接続される。これによって、ノード監視制御機能部１１６は、Ｎｘ１ＷＳＳ機能部１２３及び光インタフェース機能部１２８と通信する。
【００５７】
ノード監視制御機能部１１６は、各Ｎｘ１ＷＳＳ機能部１２３に光波長パス設定等の指示を送信する。また、ノード監視制御機能部１１６は、各波長の光信号のパスを開通する際、開通されるパスの始点となるＮｘ１ＷＳＳ機能部１２３が有する各光インタフェース機能部１２８のトランスポンダに各波長の光信号を発光するよう、指示する。
【００５８】
Ｎｘ１ＷＳＳ機能部１２３のプロセッサ１１８−２は、光波長パス設定をノード監視制御機能部１１６から送信された場合、送信された光波長パス設定を、Ｎｘ１ＷＳＳ切替制御部１３０に送信する。Ｎｘ１ＷＳＳ切替制御部１３０は、プロセッサ１１８−２から送信される光波長パス設定に従って、Ｎｘ１ＷＳＳ１２６を制御する。
【００５９】
ノード監視制御機能部１１６から各Ｎｘ１ＷＳＳ機能部１２３へ送信される光波長パス設定には、いずれの波長の光信号が挿入されるか、いずれの波長の光信号が通過するかを示す情報が含まれる。また、通過する波長は、ポート１〜ポートＮ−１のいずれのポートからの入力が通過するかという光信号の挿入情報が含まれる。
【００６０】
なお、ＯＳＳ１１４は、ＯＸＣ装置１０３−１に光信号を分岐させる場合、いずれのＮｘ１ＷＳＳ１２６にも光信号を、挿入又は通過させる指示を送信しないことによって、光信号を分岐させてもよい。すなわち、ＯＳＳ１１４は、光波長パス設定に、分岐させる指示を含めなくてもよい。
【００６１】
なお、本実施形態における挿入とは、光インタフェース機能部１２８のトランスポンダから発光された光信号が、Ｎｘ１ＷＳＳ１２６において他の光信号に加わることを示す。また、本実施形態における通過とは、Ｎｘ１ＷＳＳ１２６が、１ｘＮ光カプラ１２５から送信された光信号、すなわち、方路から受信した光信号を受信し、いずれかの方路へ送信することを示す。
【００６２】
また、本実施形態における分岐とは、Ｎｘ１ＷＳＳ１２６が、１ｘＮ光カプラ１２５から送信された光信号を、光ネットワークの方路に送信しないことを示す。すなわち、分岐とは、光インタフェース機能部１２８のトランスポンダが、１ｘＮ光カプラ１２５から送信された光信号を受信することを示す。
【００６３】
方路２から方路１へ光信号が送信される場合の、Ｎｘ１ＷＳＳ機能部１２３−１及びＮｘ１ＷＳＳ機能部１２３−２における具体的な処理について、以下に説明する。
【００６４】
方路２から送信された光信号は、伝送路１０１−２における損失を補うべく、Ｎｘ１ＷＳＳ機能部１２３−２の受信光増幅器１０５によって増幅される。増幅された光信号は、Ｎｘ１ＷＳＳ機能部１２３−２の１ｘＮ光カプラ１２５によってＮ方路分に分岐される。
【００６５】
１ｘＮ光カプラ１２５が有するＮ方路分の出力ポートのうち、（Ｎ−１）ポート分の出力ポートは、方路２（すなわち、Ｎｘ１ＷＳＳ機能部１２３−２）以外のＮｘ１ＷＳＳ機能部１２３のＮｘ１ＷＳＳ１２６に接続される。このため、一つの１ｘＮ光カプラ１２５は、同じ光信号を方路２以外の全ての方路に送信する。
【００６６】
１ｘＮ光カプラ１２５のＮ番目の出力ポートは、受信した光信号を、方路２（すなわち、Ｎｘ１ＷＳＳ機能部１２３−２）に接続される光インタフェース機能部１２８へ送信する。光インタフェース機能部１２８は、光信号を受信した場合、受信した光信号を分岐する。
【００６７】
Ｎｘ１ＷＳＳ機能部１２３−１のＮｘ１ＷＳＳ１２６は、Ｎｘ１ＷＳＳ機能部１２３−２の１ｘＮ光カプラ１２５から送信された光信号を受信した場合、あらかじめＮｘ１ＷＳＳ切替制御部１３０から送信された光波長パス設定に従って、Ｎｘ１ＷＳＳ機能部１２３−２の１ｘＮ光カプラ１２５から送信された光信号を出力する。
【００６８】
具体的には、Ｎｘ１ＷＳＳ機能部１２３−１のＮｘ１ＷＳＳ１２６は、光波長パス設定によって指定された波長の光信号を、方路１へ送信する。Ｎｘ１ＷＳＳ１２６から送信された光信号は、送信光増幅器１０６によって増幅された後、方路１に接続される伝送路１０１−１に送信される。
【００６９】
Ｎｘ１ＷＳＳ機能部１２３のプロセッサ１１８−２は、光波長パス設定をノード監視制御機能部１１６から送信された場合、Ｎｘ１ＷＳＳ切替制御部１３０にＮｘ１ＷＳＳ１２６のパスの切替えを指示し、さらに、光波長パス設定によって指定された波長の光レベル一定制御を、光レベル一定制御部１３１に指示する。Ｎｘ１ＷＳＳ機能部１２３は、光レベル一定制御を行うことによって、一定の光レベルの光信号を、他の光ノードへ送信できる。
【００７０】
光レベル一定制御部１３１は、光波長パス設定情報受信ブロック１３２、光レベルモニタ結果受信ブロック１３３、Ｎｘ１ＷＳＳ減衰量演算ブロック１３４、及び、Ｎｘ１ＷＳＳ減衰量設定ブロック１３５を有する。
【００７１】
光波長パス設定情報受信ブロック１３２は、ノード監視制御機能部１１６から送信される光波長パス設定を、プロセッサ１１８−２を介して受信し、受信した光波長パス設定をＮｘ１ＷＳＳ減衰量演算ブロック１３４に送信する。光レベルモニタ結果受信ブロック１３３は、ＯＣＭ１２９によって測定された全波長分の光レベル（光レベルモニタ結果）を取得し、取得された光レベルモニタ結果をＮｘ１ＷＳＳ減衰量演算ブロック１３４に送信する。
【００７２】
Ｎｘ１ＷＳＳ減衰量演算ブロック１３４は、光波長パス設定によって切替えが指示される波長について、取得された光レベルモニタ結果と、光レベル一定制御の目標光レベルとを比較し、光レベルモニタ結果と目標光レベルとの差分を算出する。そして、算出された差分と、後述の式１とによって、Ｎｘ１ＷＳＳ１２６における光レベルの減衰量を算出する。なお、目標光レベルは、あらかじめ管理者等によって指定され、Ｎｘ１ＷＳＳ減衰量演算ブロック１３４によって保持される値である。
【００７３】
光レベルの減衰量を算出するために、Ｎｘ１ＷＳＳ減衰量演算ブロック１３４は、ＷＳＳ損失値情報格納部１２４が保持するＮｘ１ＷＳＳ１２６のポート毎又は波長毎の減衰量最小時の損失値を用いる。Ｎｘ１ＷＳＳ減衰量演算ブロック１３４は、各ポート、及び、各波長に対応する減衰量最小時の損失値を、光波長パス設定情報受信ブロック１３２を介してＷＳＳ損失値情報格納部１２４から取得する。
【００７４】
例えば、光波長パス設定が、波長Ａの光信号がポート１から入力される光信号を通過させることを示す場合、Ｎｘ１ＷＳＳ減衰量演算ブロック１３４は、ポート１を通過する波長Ａの光信号の光レベルの減衰量を、以下の式によって算出する。
【００７５】
ポート１を通過する波長Ａの光信号の光レベルの減衰量＝（波長Ａの光レベルモニタ結果）−（光レベル一定制御の目標光レベル）−（ポート１における波長Ａの減衰量最小時の損失値）                                （式１）
式１によって算出された減衰量は、Ｎｘ１ＷＳＳ減衰量設定ブロック１３５に送信される。Ｎｘ１ＷＳＳ減衰量設定ブロック１３５は、Ｎｘ１ＷＳＳ減衰量演算ブロック１３４から送信された減衰量によって、ポート１を通過する波長Ａの光信号の光レベルを、Ｎｘ１ＷＳＳ１２６に制御させる。
【００７６】
光インタフェース機能部１２８は、１ｘＮ光カプラ１２５から送信される光信号が波長多重されている場合、光信号を波長毎に分波する光分波器と、各波長の光信号を合波する光合波器とを含む。
【００７７】
また、光インタフェース機能部１２８は、光信号を波長毎に分波するために、一つの入力ポート及びＮ個の出力ポートを有する１ｘＮＷＳＳを有してもよく、各波長の光信号を合波するために、Ｎ個の出力ポート及び一つの入力ポートを有するＮｘ１ＷＳＳを有してもよい。光インタフェース機能部１２８が有するトランスポンダは、光分波器及び光合波器、又は、１ｘＮＷＳＳ及びＮｘ１ＷＳＳと接続され、光信号を送受信する。
【００７８】
なお、ＯＡＤＭ装置１０２は、図１に示すＯＸＣ装置１０３−１がポート数Ｎ＝２である場合の装置と同じである。以降においても、ＯＸＣ装置１０３の説明をするが、ＯＡＤＭ装置１０２は、ポート数Ｎ＝２である場合のＯＸＣ装置１０３と同じである。
【００７９】
図３は、本発明の第１の実施形態のＯＳＳ１１４が待機時間を待機してから各光ノードに光スイッチ切替指示を送信する処理を示すシーケンス図である。
【００８０】
図３は、パス開通処理が開始されてからパス開通処理が終了するまでの時間に、ＯＳＳ１１４からＡ局〜Ｄ局へ送信される光スイッチ切替指示を示す。パス開通処理は、ＯＳＳ１１４が光波長パス設定を含む光スイッチ切替指示を、各光ノードに送信することによって開始される。
【００８１】
図３におけるＡ〜Ｅ局は、図１に示す光ネットワークに備わる。また、Ａ局、Ｂ局、Ｄ局及びＥ局は、ポート数Ｎ＝２であるＯＸＣ装置１０３−１と同じであり、Ｃ局は、ポート数Ｎ＝４であるＯＸＣ装置１０３−１である。
【００８２】
図３において、Ａ局が光信号の光スイッチ切替指示を受信してから、Ａ局のトランスポンダから発光される光信号の光レベルが安定するまで、待機時間１が必要である。また、Ａ局〜Ｄ局が光スイッチ切替指示を受信してから、各局のＮｘ１ＷＳＳ１２６から出力される光信号の光レベルが安定するまで、待機時間２が必要である。
【００８３】
ＯＳＳ１１４は、パス開通処理を開始した場合、Ａ局の光インタフェース機能部１２８が有するトランスポンダに発光を指示する。そして、トランスポンダが安定するまでの待機時間１を待機した後、Ａ局に光スイッチ切替指示を送信する。ここで、Ａ局に送信される光スイッチ切替指示には、Ａ局のＮｘ１ＷＳＳ１２６にトランスポンダから発光された光信号を挿入させる指示が含まれる。
【００８４】
そして、ＯＳＳ１１４は、Ａ局のＮｘ１ＷＳＳ１２６から出力される光信号の光レベルが安定するまでの待機時間２を待機した後、Ｂ局に光スイッチ切替指示を送信する。ここで、Ｂ局に送信される光スイッチ切替指示には、Ｂ局のＮｘ１ＷＳＳ１２６にＡ局から送信された光信号を通過させる指示が含まれる。
【００８５】
ＯＳＳ１１４は、待機時間２を待機した後、Ｃ局に光スイッチ切替指示を送信する。そして、待機時間２を待機した後、Ｄ局に光スイッチ切替指示を送信する。そして、待機時間２を経過した後、Ａ局のトランスポンダが発光した光信号は、Ｅ局のトランスポンダによって安定して受信される。
【００８６】
このように、ＯＳＳ１１４が、各光ノードへの光スイッチ切替指示の送信と、待機時間の待機とを交互に繰り返す場合、Ｅ局のトランスポンダが安定した光信号を受信するまで、待機時間１＋４×待機時間２のパス開通時間が必要である。
【００８７】
このため、図２に示す基本的な光ノードを備える光ネットワークにおいて、パス開通時間は、光ノードの数及び待機時間２の長さに従って長くなる。
【００８８】
また、本実施形態におけるＷＳＳは、光スイッチ機能、光減衰器機能、及び、波長多重機能を有し、全波長の光スイッチ機能及び光減衰器機能を一つの装置によって実装する。このため、一つの波長の光スイッチ機能及び光減衰器機能を有する装置よりも、特に、ＷＳＳを有する光ノードは、図３に示す待機時間２が長い。
【００８９】
すなわち、図２に示すＮｘ１ＷＳＳ１２６のようなＷＳＳを有する光ノードは、待機時間２が長い。また、図２に示すＯＣＭ１２９のような、波長多重光の個別チャネルの光レベルをすべてモニタする光チャネルモニタを使用する光ノードも、待機時間Ｂが長くなる。
【００９０】
図４は、本発明の第１の実施形態の光信号を遮断するＯＸＣ装置１０３−２の物理的構成を示すブロック図である。
【００９１】
図４に示すＯＸＣ装置１０３−２は、Ｎｘ１ＷＳＳ１２６において、光信号を遮断する機能を有する。図４に示すＯＸＣ装置１０３−２と図２に示すＯＸＣ装置１０３−１との相違点は、ＯＸＣ装置１０３−１が有する光レベル一定制御部１３１の代わりに、ＯＸＣ装置１０３−２が光レベル一定制御部１３８を有する点である。
【００９２】
光レベル一定制御部１３８は、光レベルモニタ結果受信ブロック１３３、Ｎｘ１ＷＳＳ減衰量設定ブロック１３５、Ｎｘ１ＷＳＳパス設定受信ブロック１３９、Ｎｘ１ＷＳＳ減衰量演算ブロック１４０、及び、光レベル収束判定ブロック１４１を有する。
【００９３】
光レベル収束判定ブロック１４１は、Ｎｘ１ＷＳＳ１２６に本実施形態の損失一定制御において、光レベルが一定値に収束したか否かを判定する。なお、本実施形態の損失一定制御とは、光信号を遮断するため、ＷＳＳ（第１〜第３の実施形態においてＮｘ１ＷＳＳ１２６）において光信号に損失を与えることである。
【００９４】
Ｎｘ１ＷＳＳパス設定受信ブロック１３９は、ノード監視制御機能部１１６から送信された光波長パス設定と光ゲート処理実行フラグとを受信し、受信した情報をＮｘ１ＷＳＳ減衰量演算ブロック１４０に送信する。光レベルモニタ結果受信ブロック１３３は、ＯＣＭ１２９によって測定された全波長分の光レベルモニタ結果を受信する。
【００９５】
光レベル収束判定ブロック１４１は、光レベルモニタ結果と損失一定制御における目標光レベルとの差分を算出し、算出された差分が一定の範囲内に入っているか否かを判定する。そして、光レベル収束判定ブロック１４１は、算出された差分が一定の範囲内に入っている場合、光レベルが一定値に収束していると判定する。そして、判定結果を、Ｎｘ１ＷＳＳ減衰量演算ブロック１４０に送信する。
【００９６】
損失一定制御における目標光レベルは、管理者等によってあらかじめ指定され、光レベル収束判定ブロック１４１に保持される。
【００９７】
なお、光レベル収束判定ブロック１４１は、Ｎｘ１ＷＳＳパス設定受信ブロック１３９から、光波長パス設定と光ゲート処理実行フラグとを受信し、光波長パス設定に含まれる波長の光レベルの光信号が、光ゲート処理実行フラグを保持している間、一定値に収束しているか否かを判定してもよい。この場合、光レベル収束判定ブロック１４１は、Ｎｘ１ＷＳＳ減衰量演算ブロック１４０が光ゲート処理実行フラグを削除する際に、光レベル収束判定ブロック１４１に送信された光ゲート処理実行フラグも削除する。
【００９８】
Ｎｘ１ＷＳＳ減衰量演算ブロック１４０は、図２に示すＮｘ１ＷＳＳ減衰量演算ブロック１３４と同じく、光波長パス設定に含まれる波長の光信号であり、かつ、安定した光レベルによって送信が可能な光信号の、光レベルモニタ結果と光レベル一定制御の目標光レベルとを比較する。そして、比較結果から、光レベルモニタ結果と光レベル一定制御の目標光レベルとの差分を算出する。
【００９９】
そして、Ｎｘ１ＷＳＳ減衰量演算ブロック１４０は、算出された差分と、前述の式１とによって、Ｎｘ１ＷＳＳ１２６における光レベル一定制御によるＷＳＳ損失値を算出し、算出されたＷＳＳ損失値をＮｘ１ＷＳＳ減衰量設定ブロック１３５に送信する。Ｎｘ１ＷＳＳ減衰量設定ブロック１３５は、送信されたＷＳＳ損失値によって、Ｎｘ１ＷＳＳ１２６に光信号の光レベルを制御させる。
【０１００】
図４に示すＮｘ１ＷＳＳ減衰量演算ブロック１４０は、光ゲート処理実行フラグを受信した場合、光ゲート処理実行フラグがＯＮであることを示す情報を保持する。
【０１０１】
以下において、Ｎｘ１ＷＳＳ減衰量演算ブロック１４０が光ゲート処理実行フラグがＯＮであることを示す情報を保持する場合、光ゲート処理実行フラグがＯＮであると記載する。また、Ｎｘ１ＷＳＳ減衰量演算ブロック１４０が光ゲート処理実行フラグを削除し、光ゲート処理実行フラグがＯＦＦであることを示す情報を保持する場合、光ゲート処理実行フラグがＯＦＦであると記載する。
【０１０２】
光ゲート処理実行フラグがＯＮである間、送信された光波長パス設定に含まれた、パスを切替える波長の光信号を遮断するため、Ｎｘ１ＷＳＳ減衰量演算ブロック１４０は、ＷＳＳ損失値を算出する。指定された待機時間光信号を遮断する場合、Ｎｘ１ＷＳＳ減衰量演算ブロック１４０は、光ゲート処理実行フラグがＯＮである間、光信号の光レベルを最小にするために、ＷＳＳ損失値を設定可能な範囲内で最大値に設定する。
【０１０３】
また、Ｎｘ１ＷＳＳ減衰量演算ブロック１４０が、後述する損失一定制御によって光信号を遮断する場合、損失一定制御によるＷＳＳ損失値を算出する。そして、算出されたＷＳＳ損失値をＮｘ１ＷＳＳ減衰量設定ブロック１３５に送信する。
【０１０４】
Ｎｘ１ＷＳＳ減衰量設定ブロック１３５は、Ｎｘ１ＷＳＳ減衰量演算ブロック１４０から送信されたＷＳＳ損失値によって、Ｎｘ１ＷＳＳ１２６に、パスを切替える波長の光信号の光レベルを低減させる。
【０１０５】
また、Ｎｘ１ＷＳＳ減衰量演算ブロック１４０は、損失一定制御を行う場合、光信号の光レベルが、ＯＣＭ１２９が光信号を測定できる程度のレベルになり、かつ、他の光ノードに送信されない程度に低いレベルになるように、ＷＳＳ損失値を算出する。これによって、損失一定制御を実行している際、他の光ノードはＮｘ１ＷＳＳ１２６から出力される光信号を受信せず、一方で、ＯＣＭ１２９は光信号の光レベルを測定できる。
【０１０６】
図５は、本発明の第１の実施形態のＯＳＳ１１４が待機時間を待つことなく各光ノードに光スイッチ切替指示を送信する処理を示すシーケンス図である。
【０１０７】
図５におけるＯＳＳ１１４は、図１に示す光ネットワークの光信号のパスにおいて、Ｃ局に光ゲート処理実行フラグを送信する。また、パス開通処理が開始された後、Ａ局〜Ｄ局へ光スイッチ切替指示を送信する。
【０１０８】
図５におけるＡ局〜Ｅ局は、図１に示す光ネットワークに備わる。また、Ａ局、Ｂ局、Ｄ局、及び、Ｅ局は、ポート数Ｎ＝２のＯＸＣ装置１０３−１、又は、ＯＸＣ装置１０３−２である。Ｃ局は、ポート数Ｎ＝４のＯＸＣ装置１０３−２である。
【０１０９】
ＯＳＳ１１４は、パス開通処理を開始した場合、Ａ局のノード監視制御機能部１１６を介して、Ａ局の光インタフェース機能部１２８が有するトランスポンダに発光を指示する。そして、Ａ局のトランスポンダが安定するまでの待機時間１を待機した後、Ａ局〜Ｄ局に光スイッチ切替指示を送信する。
【０１１０】
ここで、ＯＳＳ１１４は、前述の待機時間２を待機することなく、Ａ局〜Ｄ局に光スイッチ切替指示を送信する。図５のＯＳＳ１１４は、１回の処理によって同時に光スイッチ切替指示をＡ局〜Ｄ局へ送信するが、Ａ局〜Ｄ局への送信が待機時間を待つことなく行われれば、いかなる処理によって光スイッチ切替指示を送信してもよい。例えば、複数の処理によって、各局に並行に光スイッチ切替指示を送信してもよい。
【０１１１】
ＯＳＳ１１４が、待機時間を待つことなく、Ａ局〜Ｄ局に光スイッチ切替指示を送信することによって、前述の待機時間２を待つ必要がないため、ＯＳＳ１１４は、パス開通時間を短縮することができる。
【０１１２】
ＯＳＳ１１４から各局に送信される光スイッチ切替指示には、特定の波長の光信号を、Ａ局に挿入させ、Ｂ〜Ｄ局に通過させる指示が含まれる。また、ＯＳＳ１１４は、光ゲート処理実行フラグを付加された光スイッチ切替指示を、Ｃ局に送信する。
【０１１３】
なお、ＯＳＳ１１４は、光ネットワークにおけるすべての光ノードの構成情報をあらかじめ保持し、光ゲート処理実行フラグを送信する光ノードを示す情報をあらかじめ保持する。そして、保持された情報から光ゲート処理実行フラグを送信する光ノードを取得し、取得された光ノードに送信する光スイッチ切替指示に光ゲート処理実行フラグを付加する。
【０１１４】
Ａ局〜Ｄ局が光スイッチ切替指示を受信した場合、Ａ局〜Ｄ局のＮｘ１ＷＳＳ１２６は、光スイッチ切替指示に従って、パスを切り替える。Ａ局〜Ｄ局によるパスの切替えの処理は、並行して行われる。また、Ｃ局のＮｘ１ＷＳＳ１２６は、Ｃ局が光スイッチ切替指示に付加された光ゲート処理実行フラグを受信した場合、待機時間３の間、光信号のパスを切替えるが、Ｎｘ１ＷＳＳ１２６の減衰量制御により光信号を遮断する。
【０１１５】
待機時間３は、Ｃ局のＮｘ１ＷＳＳ１２６の入力信号が安定し、結果としてＣ局のＮｘ１ＷＳＳ１２６が安定した光信号を送信できるようになるまでの時間であり、あらかじめ管理者等によって定められた所定の時間である。すなわち、待機時間３は、Ａ局〜Ｂ局のＮｘ１ＷＳＳ１２６がパスを切り替え、安定した光信号を出力できるようになるまでの時間である。
【０１１６】
待機時間３は、光ゲート処理実行フラグに含まれてもよく、Ｃ局は、光ゲート処理実行フラグに含まれた待機時間３の間、光信号を遮断してもよい。
【０１１７】
Ｃ局が損失一定制御を行わない場合、Ｎｘ１ＷＳＳ１２６は、待機時間３の間、Ｎｘ１ＷＳＳ減衰量演算ブロック１４０においてＷＳＳ損失値を設定可能な範囲で最大値に設定することによって、受信した光信号の光レベルを最小にする。これによって、Ｃ局のＮｘ１ＷＳＳ１２６は、待機時間３の間、光スイッチ切替指示によって指定された波長の光信号を遮断する。
【０１１８】
待機時間３において、Ａ局及びＢ局を通過した光信号の光レベルが不安定であっても、Ｃ局によって光信号が遮断されるため、Ｄ局に不安定な光レベルの光信号が送信されない。このため、Ｄ局及びＥ局のトランスポンダにおけるオーバーシュートの発生を未然に防ぐことができる。
【０１１９】
Ｃ局のＮｘ１ＷＳＳ減衰量演算ブロック１４０は、待機時間３を経過後に、光レベル一定制御によってＮｘ１ＷＳＳ１２６を制御する。これによって、安定した光レベルの光信号をＤ局に送信する。
【０１２０】
また、待機時間３の後、Ｃ局のＮｘ１ＷＳＳ減衰量演算ブロック１４０は、光ゲート処理実行フラグを削除し、光ゲート処理実行フラグをＯＦＦにする。これによって、光信号が開通し、パス開通時間が終了する。
【０１２１】
Ａ局〜Ｃ局の各Ｎｘ１ＷＳＳ１２６は、待機時間３における並行処理によってパスを切り替える。このため、図５に示すパス開通時間は、図３に示すパス開通時間よりも短い。これによって、第１の実施形態の光ネットワークシステムは、パス開通時間を低減することができる。
【０１２２】
なお、ＯＳＳ１１４は、Ａ局又はＢ局に光ゲート処理実行フラグを送信してもよい。そして、光ゲート処理実行フラグを送信されたＡ局又はＢ局は、前述のＣ局と同じく、指定された待機時間の間、光信号を遮断してもよい。Ａ局又はＢ局に光ゲート処理実行フラグが送信される場合、光ゲート処理実行フラグが送信されたＡ局又はＢ局は、ポート数Ｎが２であるＯＸＣ装置１０３−２である。
【０１２３】
また、Ｃ局は、光ゲート処理実行フラグを受信した後、本実施形態の損失一定制御を行うことによって、待機時間３を待たずに光信号を通過させてもよい。すなわち、待機時間３の途中において、光信号の光レベルが一定値に収束したか、すなわち安定したか否かを判定し、光レベルが安定した場合、光信号のＤ局への送信を開始してもよい。これによって、光信号を後続の光ノード（Ｄ局）に送信するまでの時間を短縮することができる。
【０１２４】
図６は、本発明の第１の実施形態の損失一定制御の処理を示すフローチャートである。
【０１２５】
図６は、損失一定制御において、ＯＸＣ装置１０３−２が光信号の光レベルが一定値に収束しているか否かを判定し、光信号の光レベルが収束した後に光信号を通過させる処理を示す。
【０１２６】
図６における引数ｓは、波長番号のカウンタを示す。図４に示すＯＸＣ装置１０３−２のＮｘ１ＷＳＳ減衰量演算ブロック１４０は、光波長パス設定及び光ゲート処理実行フラグを受信した場合、図６に示す処理を開始する（ステップ２００）。ここで、Ｎｘ１ＷＳＳ減衰量演算ブロック１４０は、光ゲート処理実行フラグがＯＮであることを示す情報を保持する。
【０１２７】
ステップ２００の後、ＯＸＣ装置１０３−２のＮｘ１ＷＳＳ減衰量演算ブロック１４０は、引数ｓに初期値を格納する（ステップ２０１）。本実施形態における初期値は、０である。
【０１２８】
ステップ２０１の後、Ｎｘ１ＷＳＳ減衰量演算ブロック１４０は、光信号の波長毎に図６に示す処理を実行するため、引数ｓに１を加算する（ステップ２０２）。ステップ２０２の後、Ｎｘ１ＷＳＳ減衰量演算ブロック１４０は、ノード監視制御機能部１１６から送信された光波長パス設定に、ｓ番目の波長がパスを切替えるべき光信号の波長として含まれているか否かを判定する（ステップ２０３）。
【０１２９】
ノード監視制御機能部１１６から送信された光波長パス設定に、ｓ番目の波長がパスを切替えるべき光信号の波長としてとして含まれている場合、Ｎｘ１ＷＳＳ減衰量演算ブロック１４０は、光信号の光レベルを制御するため、ステップ２０４に移行する。
【０１３０】
ノード監視制御機能部１１６から送信された光波長パス設定に、ｓ番目の波長パスがパスを切替えるべき光信号の波長として含まれていない場合、Ｎｘ１ＷＳＳ減衰量演算ブロック１４０は、ｓ番目の波長の光信号の光レベルを制御しないため、ステップ２１１に移行する。
【０１３１】
ステップ２０３の後、Ｎｘ１ＷＳＳ減衰量演算ブロック１４０は、光ゲート処理実行フラグがＯＮであるか否かを判定する（ステップ２０４）。光ゲート処理実行フラグがＯＮである場合、Ｎｘ１ＷＳＳ減衰量演算ブロック１４０は、光信号の光レベルが一定になっているか否かを判定するため、ステップ２０５に移行する。
【０１３２】
なお、Ｎｘ１ＷＳＳ減衰量演算ブロック１４０は、受信した光ゲート処理実行フラグを、光波長パス設定によって指定されたパスを切替える波長の光信号と対応させて保持してもよい。これによって、複数の光波長パス設定及び光ゲート処理実行フラグを送信された場合、Ｎｘ１ＷＳＳ減衰量演算ブロック１４０は、パスを切替える波長ごとにステップ２０４における処理を実行することができる。
【０１３３】
ステップ２０４において、光ゲート処理実行フラグがＯＮではないと判定された場合、Ｎｘ１ＷＳＳ減衰量演算ブロック１４０は、ｓ番目の波長の光信号を、損失一定制御によって遮断する必要がない。このため、ｓ番目の波長の光信号を通過させるための光レベル一定制御を行うため、ステップ２０６に移行する。
【０１３４】
ステップ２０４の後、Ｎｘ１ＷＳＳ減衰量演算ブロック１４０は、光波長パス設定によって指定された光信号が、自らが属するＯＸＣ装置１０３−２において、パスを切替えるべき光信号であるか否かを判定する（ステップ２０５）。光波長パス設定によって指定された光信号が、自らが属するＯＸＣ装置１０３−２において、パスを切替えるべき光信号である場合、Ｎｘ１ＷＳＳ減衰量演算ブロック１４０は、光信号の光レベルが一定値に収束したか否かを判定するため、ステップ２０８に移行する。
【０１３５】
光波長パス設定によって指定された光信号が、自らが属するＯＸＣ装置１０３−２において、パスを切替えるべき光信号でない場合、損失一定制御によって光信号を遮断する必要がないため、Ｎｘ１ＷＳＳ減衰量演算ブロック１４０は、光レベル一定制御を行うため、ステップ２０６に移行する。
【０１３６】
ステップ２０５の後、Ｎｘ１ＷＳＳ減衰量演算ブロック１４０は、ｓ番目の波長の光信号を通過させるため、Ｎｘ１ＷＳＳ１２６におけるＷＳＳ損失値を算出する（ステップ２０６）。ステップ２０６の後、Ｎｘ１ＷＳＳ減衰量演算ブロック１４０は、ステップ２０５において算出されたＷＳＳ損失値を、Ｎｘ１ＷＳＳ減衰量設定ブロック１３５に送信する（ステップ２０７）。
【０１３７】
そして、Ｎｘ１ＷＳＳ減衰量設定ブロック１３５は、算出されたＷＳＳ損失値によって、Ｎｘ１ＷＳＳ１２６に光信号の光レベルを制御させる。これによって、Ｎｘ１ＷＳＳ減衰量演算ブロック１４０は、パスが切替わることなく通過する光信号に、光レベル一定制御を行う。
【０１３８】
ステップ２０５の後、Ｎｘ１ＷＳＳ減衰量演算ブロック１４０は、光レベル収束判定ブロック１４１によって取得された光レベルが収束しているか否かを判定する（ステップ２０８）。ここで、光レベル収束判定ブロック１４１は、ｓ番目の波長の光信号が他の光ノードへ送信されないように、Ｎｘ１ＷＳＳ１２６がｓ番目の波長の光信号を遮断している状態において、ｓ番目の波長の光信号の光レベルを取得する。
【０１３９】
具体的には、Ｎｘ１ＷＳＳ１２６は、光ゲート処理実行フラグがＯＮである場合、Ｎｘ１ＷＳＳ減衰量演算ブロック１４０によって算出されたＷＳＳ損失値によって、ｓ番目の波長の光信号の光レベルを低減する。ここで、Ｎｘ１ＷＳＳ１２６は、ＯＣＭ１２９が最小限の光レベルを測定できる程度の光レベルであり、かつ、他の光ノードが受信しない程度の光レベルに、ｓ番目の波長の光信号の光レベルを低減する。
【０１４０】
この時、ｓ番目の波長の光信号が不安定な光レベルである場合、Ｎｘ１ＷＳＳ１２６から出力される低レベルの光信号も不安定である。このため、ＯＣＭ１２９がＮｘ１ＷＳＳ１２６から送信された低レベルの光信号を測定し、測定された光レベルと損失一定制御における目標光レベルとを比較することによって、光レベル収束判定ブロック１４１は、ｓ番目の波長の光信号が一定値に収束したか否かを判定できる。
【０１４１】
ステップ２０８において、光レベル収束判定ブロック１４１によって取得された光レベルが、損失一定制御における一定値に収束したと判定された場合、ｓ番目の光信号に光レベル一定制御を行うため、Ｎｘ１ＷＳＳ減衰量演算ブロック１４０は、自らが保持する光ゲート処理実行フラグを削除し、光ゲート処理実行フラグをＯＦＦにする（ステップ２０９）。
【０１４２】
ステップ２０８において、光レベル収束判定ブロック１４１によって取得された光レベルが、損失一定制御における目標光レベルに収束していないと判定された場合、前述の損失一定制御を継続するため、Ｎｘ１ＷＳＳ減衰量演算ブロック１４０は、ｓ番目の波長の光信号の光レベルのＮｘ１ＷＳＳ１２６におけるＷＳＳ損失値を算出する。そして、算出されたＷＳＳ損失値をＮｘ１ＷＳＳ減衰量設定ブロック１３５に送信する（ステップ２１０）。
【０１４３】
ステップ２０７、ステップ２０９、又は、ステップ２１０の後、Ｎｘ１ＷＳＳ減衰量演算ブロック１４０は、引数ｓの値が光信号の最大波長多重数と一致しているか否かを判定する（ステップ２１１）。Ｎｘ１ＷＳＳ減衰量演算ブロック１４０は、光信号の最大波長多重数を、管理者等によってあらかじめ指定される。
【０１４４】
引数ｓの値が光信号の最大波長多重数と一致しない場合、光信号の波長のうち、ｓ番目以外の波長の光信号にもステップ２０３〜ステップ２１０の処理を実行するため、Ｎｘ１ＷＳＳ減衰量演算ブロック１４０は、ステップ２０２に戻る。
【０１４５】
引数ｓの値が光信号の最大波長多重数と一致する場合、光信号のすべての波長にステップ２０３〜ステップ２１０の処理を実行したため、Ｎｘ１ＷＳＳ減衰量演算ブロック１４０は、ステップ２０１に戻る。これによって、Ｎｘ１ＷＳＳ減衰量演算ブロック１４０は、光信号のすべての波長に、繰り返しステップ２０３〜ステップ２１０の処理を実行する。
【０１４６】
前述の処理によってＮｘ１ＷＳＳ減衰量演算ブロック１４０は、各波長の光信号が安定した場合、ステップ２０８及びステップ２０９において、光ゲート処理実行フラグをＯＦＦにするため、待機時間３を待機することなく、光信号を通過させることができる。
【０１４７】
第１の実施形態によれば、光スイッチ切替指示を、待機時間を待つことなく送信するため、パス開通時間を短縮できる。また、光ノードに並行にパスを切替えさせるため、光信号が通過するまでの待機時間を短縮できる。また、パスが開通する光ノードのうちの一つにおいて、光信号を遮断するため、パスの終点となるトランスポンダにおけるオーバーシュートを未然に防ぐことができる。
【０１４８】
（第２の実施形態）
図７は、本発明の第２の実施形態のＯＳＳ１１４が待機時間を待つことなく各光ノードに光スイッチ切替指示を送信する処理を示すシーケンス図である。
【０１４９】
図７におけるＯＳＳ１１４は、図１に示す光ネットワークの光信号のパスにおいて、光信号が最後に通過する光スイッチ（本実施形態におけるＷＳＳ）を有する光ノードに光ゲート処理実行フラグを送信する。また、パス開通処理が開始された後、Ａ局〜Ｄ局へ光スイッチ切替指示を送信する。
【０１５０】
図７におけるＡ局〜Ｅ局は、図１に示す光ネットワークに備わる。また、Ａ局、Ｂ局、及び、Ｅ局は、ポート数Ｎ＝２のＯＸＣ装置１０３−１、又は、ＯＸＣ装置１０３−２である。Ｃ局は、ポート数Ｎ＝４のＯＸＣ装置１０３−１、又は、ＯＸＣ装置１０３−２である。Ｄ局は、ポート数Ｎ＝２のＯＸＣ装置１０３−２である。
【０１５１】
図７に示す処理と図５に示す処理とは、以下に示す相違点以外、同じ処理である。
【０１５２】
図７に示す処理と図５に示す処理との相違点は、Ｄ局に光ゲート処理実行フラグを送信する点である。光ゲート処理実行フラグが送信された場合、Ｄ局は、待機時間４の間、光信号を遮断する。待機時間４は、Ａ局〜Ｃ局のＮｘ１ＷＳＳ１２６のパスが切り替わり、安定した光信号を出力できるようになり、Ｄ局のＮｘ１ＷＳＳ１２６の入力光信号が安定するまでの時間である。
【０１５３】
第２の実施形態のように、光信号が通過するパスのうち、光信号が最後に通過する光スイッチを有する光ノードに、光ゲート処理実行フラグを送信した場合、光ゲート処理実行フラグが送信された光ノードは、後続の光ノード（Ｅ局）のトランスポンダにおけるオーバーシュートの発生を、未然に防ぐことができる。
【０１５４】
すなわち、光信号は、Ｅ局において光スイッチを通過せずに分岐されるため、光ゲート処理実行フラグが送信された光ノードは、Ｅ局のトランスポンダに第１の実施形態よりも安定した光信号を送信することができる。
【０１５５】
なお、第２の実施形態のＤ局は、待機時間４の経過後に光信号を通過させたが、図６に示す損失一定制御を行うことによって、待機時間４を経過する前に光信号を通過させてもよい。
【０１５６】
（第３の実施形態）
図８は、本発明の第３の実施形態のＯＳＳ１１４が待機時間を待つことなく各光ノードに光スイッチ切替指示を送信する処理を示すシーケンス図である。
【０１５７】
図８におけるＯＳＳ１１４は、図１に示す光ネットワークの光信号のパスにおいて、複数の光ノードに光ゲート処理実行フラグを送信する。また、パス開通処理が開始された後、Ａ局〜Ｄ局へ光スイッチ切替指示を送信する。
【０１５８】
図８におけるＡ局、Ｂ局、及びＥ局は、ポート数Ｎ＝２のＯＸＣ装置１０３−１、又は、ＯＸＣ装置１０３−２である。また、図８におけるＣ局は、ポート数Ｎが４であるＯＸＣ装置１０３−２であり、Ｄ局は、ポート数Ｎが２であるＯＸＣ装置１０３−２である。
【０１５９】
図８に示す処理と図５に示す処理とは、以下に示す相違点以外、同じ処理である。
【０１６０】
図８に示す処理と図５に示す処理との相違点は、Ｃ局及びＤ局に光ゲート処理実行フラグを送信する点である。光ゲート処理実行フラグを送信された場合、Ｃ局は、待機時間５の間、光信号を遮断する。待機時間５は、Ａ局〜Ｂ局のＮｘ１ＷＳＳ１２６のパスが切り替わり、安定した光信号を出力できるようになり、Ｃ局のＮｘ１ＷＳＳ１２６の入力光信号が安定するまでの時間である。
【０１６１】
また、Ｄ局は、光ゲート処理実行フラグを受信した場合、Ｃ局のＮｘ１ＷＳＳ１２６が安定した光信号を送信するまでの待機時間５と、Ｃ局のＮｘ１ＷＳＳ１２６から出力される光信号が安定し、Ｄ局のＮｘ１ＷＳＳ１２６の入力光信号が安定するまでの待機時間６とを加算した時間、光信号を遮断する。待機時間５及び待機時間６は、あらかじめ管理者等によって定められた所定の時間でもよい。
【０１６２】
これによって、Ａ局及びＢ局を通過した光信号が不安定であっても、Ｃ局及びＤ局によって光信号が遮断されるため、Ｅ局に不安定な光信号が送信されない。すなわち、光信号が送信されるパスの末端のトランスポンダにおけるオーバーシュートの発生を未然に防ぎ、かつ、光信号が通過する光ノードにおけるオーバーシュートも未然に防ぐことができる。
【０１６３】
第３の実施形態において、Ｄ局が光信号を遮断する時間は、Ｃ局のＮｘ１ＷＳＳ１２６から出力される光信号が安定する待機時間５と、Ｄ局のＮｘ１ＷＳＳ１２６から出力される光信号が安定する待機時間６との合計値である。このため、第３の実施形態における光信号を遮断する時間は、第１及び第２の実施形態における光信号を遮断する時間よりも長い。しかし、複数の光ノードに光ゲート処理実行フラグを送信することによって、光信号のパスの途中において発生するオーバーシュートを、未然に防ぐことができる。
【０１６４】
このため、光信号のパスの途中において発生するオーバーシュートが、光ネットワークの伝送品質に影響を及ぼすような場合、第３の実施形態を用いることによって、伝送品質の劣化を防ぐことができる。
【０１６５】
なお、図８において、ＯＳＳ１１４は、Ｃ局及びＤ局の二つの光ノードに、光ゲート処理実行フラグを送信したが、例えば、Ｂ局及びＤ局の二つの光ノード、又は、Ｂ局、Ｃ局及びＤ局の三つの光ノードに、光ゲート処理実行フラグを送信してもよい。
【０１６６】
また、ＯＳＳ１１４は、例えば、光信号が通過する光ノードが多数である場合、五つ毎など、定められた個数毎の光ノードに光ゲート処理実行フラグを送信してもよい。これによって、光ゲート処理実行フラグが送信された光ノードは、安定した光信号を後続の光ノードに送信することができる。そして、各光ノードにおける光信号のオーバーシュートを未然に防ぐことができる。
【０１６７】
第３の実施形態によれば、光信号のパスの途中に配置された光ノードにおいても、オーバーシュートの発生を防ぐことができる。
【０１６８】
（第４の実施形態）
図９は、本発明の第４の実施形態の光信号を遮断するＯＸＣ装置１０３−２の物理的構成を示すブロック図である。
【０１６９】
図９に示すＯＸＣ装置１０３−３は、光信号を分岐する直前に、光信号を遮断する機能を有する。
【０１７０】
図９に示すＯＸＣ装置１０３−３と図２に示すＯＸＣ装置１０３−１との相違点は、ＯＸＣ装置１０３−１が有する１ｘＮ光カプラ１２５の代わりに、ＯＸＣ装置１０３−３が１ｘＮＷＳＳ１２７を有する点である。また、ＯＸＣ装置１０３−３が１ｘＮＷＳＳ１２７を制御するための１ｘＮＷＳＳ切替制御部１４３を有する点である。また、ＯＸＣ装置１０３−３が、１ｘＮＷＳＳ１２７の入力ポート側に、光カプラ１１３とＯＣＭ１２９とを有する点である。
【０１７１】
１ｘＮＷＳＳ１２７は、入力ポートが一つであり、出力ポートがＮ個である光スイッチである。１ｘＮＷＳＳ１２７の入力ポート側に配置される光カプラ１１３及びＯＣＭ１２９は、Ｎｘ１ＷＳＳ１２６の出力ポート側に配置される光カプラ１１３及びＯＣＭと同じである。また、１ｘＮＷＳＳ切替制御部１４３が有する光レベルモニタ結果受信ブロック１３３は、光レベル一定制御部１３１が有する光レベルモニタ結果受信ブロック１３３と同じである。
【０１７２】
ＯＸＣ装置１０３−３のプロセッサ１１８−２は、ノード監視制御機能部１１６から光スイッチ切替指示を受信した場合、光レベル一定制御部１３１、及び、１ｘＮＷＳＳ切替制御部１４３に受信した光波長パス設定を送信する。また、ノード監視制御機能部１１６から光ゲート処理実行フラグを受信した場合、１ｘＮＷＳＳ切替制御部１４３に受信した光ゲート処理実行フラグを送信する。
【０１７３】
１ｘＮＷＳＳ切替制御部１４３は、光レベルモニタ結果受信ブロック１３３、１ｘＮＷＳＳパス設定受信ブロック１４４、光レベル収束判定ブロック１４５、及び、１ｘＮＷＳＳ切替制御ブロック１４６を有する。
【０１７４】
１ｘＮＷＳＳパス設定受信ブロック１４４は、プロセッサ１１８−２を介して、ノード監視制御機能部１１６から光波長パス設定と光ゲート処理実行フラグとを受信した場合、受信した光波長パス設定と光ゲート処理実行フラグとを、１ｘＮＷＳＳ切替制御ブロック１４６に送信する。光レベルモニタ結果受信ブロック１３３は、ＯＣＭ１２９によって取得された全波長分の光レベルモニタ結果を受信する。
【０１７５】
光レベル収束判定ブロック１４５は、光レベルモニタ結果受信ブロック１３３から受信した光レベルモニタ結果と、１ｘＮＷＳＳ１２７へ入力される光信号の目標光レベルとの差分を算出する。そして、算出された差分が一定の範囲内に入っているか否かを判定し、算出された差分が一定の範囲内に入っている場合、光レベルが一定値に収束していると判定する。そして、判定結果を、１ｘＮＷＳＳ切替制御ブロック１４６に送信する。
【０１７６】
１ｘＮＷＳＳ１２７へ入力される光信号の目標光レベルは、管理者等によってあらかじめ指定され、光レベル収束判定ブロック１４５に保持される。
【０１７７】
なお、光レベル収束判定ブロック１４５は、１ｘＮＷＳＳパス設定受信ブロック１４４から、光波長パス設定と光ゲート処理実行フラグとを受信し、光波長パス設定に含まれる波長の光レベルの光信号が、光ゲート処理実行フラグを保持している間、一定値に収束しているか否かを判定してもよい。この場合、光レベル収束判定ブロック１４５は、１ｘＮＷＳＳ切替制御ブロック１４６が光ゲート処理実行フラグを削除する際に、光レベル収束判定ブロック１４５に送信された光ゲート処理実行フラグも削除する。
【０１７８】
１ｘＮＷＳＳ切替制御ブロック１４６は、受信した光波長パス設定に従って、１ｘＮＷＳＳ１２７にパスを切替えさせる。また、１ｘＮＷＳＳ切替制御ブロック１４６は、光ゲート処理実行フラグを受信した場合、１ｘＮＷＳＳ１２７の直前における光レベルが一定値に収束するまで、光波長パス設定によって指定された、パスが切り替わる波長の光信号を、１ｘＮＷＳＳ１２７に遮断させる機能を有する。
【０１７９】
１ｘＮＷＳＳ切替制御ブロック１４６は、例えば、光ゲート処理実行フラグを受信した場合、１ｘＮＷＳＳ１２７の直前における光レベルが一定値に収束するまで１ｘＮＷＳＳ１２７へのパスの切替指示を停止し、光信号の光レベルを最小にするなどによって、１ｘＮＷＳＳ１２７に光信号を遮断させてもよい。
【０１８０】
また、図９に示す１ｘＮＷＳＳ切替制御ブロック１４６は、光ゲート処理実行フラグを受信した場合、光ゲート処理実行フラグがＯＮであることを示す情報を保持する。
【０１８１】
以下において、１ｘＮＷＳＳ切替制御ブロック１４６において光ゲート処理実行フラグがＯＮであることを示す情報を保持する場合、光ゲート処理実行フラグがＯＮであると記載する。また、１ｘＮＷＳＳ切替制御ブロック１４６が光ゲート処理実行フラグを削除し、光ゲート処理実行フラグがＯＦＦであることを示す情報を保持する場合、光ゲート処理実行フラグがＯＦＦであると記載する。
【０１８２】
なお、１ｘＮＷＳＳ切替制御部１４３に送信される光波長パス設定は、光信号を通過又は分岐させる指示が含まれてもよい。また、１ｘＮＷＳＳ切替制御部１４３は、図２に示す光レベル一定制御部１３１と同じ装置であっても、本実施形態の処理を実行可能である。
【０１８３】
図１０は、本発明の第４の実施形態のＯＳＳ１１４が待機時間を待つことなく各光ノードに光スイッチ切替指示を送信する処理を示すシーケンス図である。
【０１８４】
図１０におけるＯＳＳ１１４は、図１に示す光ネットワークの光信号のパスにおいて、Ｃ局に光ゲート処理実行フラグを送信する。また、パス開通処理が開始された後、Ａ局〜Ｅ局へ光スイッチ切替指示を送信する。
【０１８５】
図１０におけるＡ局〜Ｅ局は、図１に示す光ネットワークに備わる。また、Ａ局、Ｂ局、Ｄ局、及び、Ｅ局は、ポート数Ｎ＝２のＯＸＣ装置１０３−３である。Ｃ局は、ポート数Ｎ＝４のＯＸＣ装置１０３−３である。
【０１８６】
なお、Ａ局、Ｂ局、Ｄ局及びＥ局は、第１の実施形態のＯＸＣ装置１０３−１、又は、ＯＸＣ装置１０３−２でもよい。Ａ局、Ｂ局、Ｄ局及びＥ局が第１の実施形態のＯＸＣ装置１０３−１、又は、ＯＸＣ装置１０３−２である場合、光波長パス設定には、１ｘＮＷＳＳ１２７のパスの切替えを示す情報は含まれない。
【０１８７】
各局のＯＸＣ装置１０３−３は、二つのＷＳＳ（１ｘＮＷＳＳ１２７及びＮｘ１ＷＳＳ１２６）を有する。このため、光波長パス設定には、１ｘＮＷＳＳ１２７及びＮｘ１ＷＳＳ１２６への指示が含まれる
ＯＳＳ１１４は、パス開通処理を開始した場合、Ａ局のノード監視制御機能部１１６を介して、Ａ局の光インタフェース機能部１２８が有するトランスポンダに発光を指示する。そして、Ａ局のトランスポンダが安定するまでの待機時間１を待機した後、Ａ局〜Ｅ局に光スイッチ切替指示を送信する。
【０１８８】
ここで、ＯＳＳ１１４は、前述の待機時間２を待機することなく、Ａ局〜Ｅ局に光スイッチ切替指示を送信する。図１０のＯＳＳ１１４は、図９のＯＳＳ１１４と同じく、Ａ局〜Ｅ局への送信が待機時間を待つことなく行われれば、いかなる処理によって光スイッチ切替指示を送信してもよい。
【０１８９】
ＯＳＳ１１４が、待機時間を待つことなく、Ａ局〜Ｅ局に光スイッチ切替指示を送信することによって、前述の待機時間２を待つ必要がないため、ＯＳＳ１１４は、パス開通時間を短縮することができる。
【０１９０】
ＯＳＳ１１４から各局に送信される光スイッチ切替指示には、特定の波長の光信号を、Ａ局のＮｘ１ＷＳＳ１２６に挿入させ、Ｂ局〜Ｄ局の１ｘＮＷＳＳ１２７及びＮｘ１ＷＳＳ１２６に通過させ、Ｅ局の１ｘＮＷＳＳ１２７に分岐させる指示が含まれる。また、ＯＳＳ１１４は、光ゲート処理実行フラグを付加された光スイッチ切替指示を、Ｃ局に送信する。
【０１９１】
なお、ＯＳＳ１１４は、光ネットワークにおけるすべての光ノードの構成情報をあらかじめ保持し、第１の実施形態と同じく、光スイッチ切替指示に光ゲート処理実行フラグを付加する。
【０１９２】
Ａ局〜Ｅ局が光スイッチ切替指示を受信した場合、Ａ局〜Ｄ局のＮｘ１ＷＳＳ１２６及びＢ局〜Ｅ局の１ｘＮＷＳＳ１２７は、光スイッチ切替指示に従って、パスを切り替える。Ａ局〜Ｅ局によるパスの切替えの処理は、並行して行われる。また、Ｃ局の１ｘＮＷＳＳ１２７及びＮｘ１ＷＳＳ１２６は、Ｃ局が光スイッチ切替指示に付加された光ゲート処理実行フラグを受信した場合、待機時間７の間、光信号のパスを切替える。
【０１９３】
また、Ｃ局の１ｘＮＷＳＳ切替制御ブロック１４６は、待機時間７の間、１ｘＮＷＳＳ１２７に光信号を遮断させる。そして、待機時間７の経過後、光ゲート処理実行フラグを削除し、光信号を通過させる。
【０１９４】
待機時間７は、Ｃ局の１ｘＮＷＳＳ１２７の入力光信号が安定することにより、結果としてＣ局の１ｘＮＷＳＳ１２７が安定した光信号を送信できるようになるまでの時間であり、あらかじめ管理者等によって定められた所定の時間である。すなわち、待機時間７は、Ａ局〜Ｂ局の光スイッチがパスを切り替え、安定した光信号を出力できるようになるまでの時間である。
【０１９５】
待機時間７は、光ゲート処理実行フラグに含まれてもよく、Ｃ局の１ｘＮＷＳＳ切替制御ブロック１４６は、光ゲート処理実行フラグに含まれた待機時間７の間、１ｘＮＷＳＳ１２７に光信号を遮断させてもよい。
【０１９６】
なお、Ｃ局は、待機時間７の途中において、光信号の光レベルが一定値に収束したか、すなわち安定したか否かを判定し、光レベルが安定した場合、光信号のＤ局への送信を開始してもよい。これによって、光信号を後続の光ノード（Ｄ局）に送信するまでの時間を短縮することができる。
【０１９７】
図１１は、本発明の第４の実施形態の１ｘＮＷＳＳ切替制御部１４３が光信号を遮断する処理を示すフローチャートである。
【０１９８】
図１１は、１ｘＮＷＳＳ１２７が光信号の光レベルが安定するまで光信号を遮断し、光信号の光レベルが一定になった後に、パスを切替え、光信号を通過させる処理を示す。
【０１９９】
図１１における引数ｓは、波長番号のカウンタを示す。図９に示す光ノードの１ｘＮＷＳＳ切替制御ブロック１４６は、光波長パス設定及び光ゲート処理実行フラグを受信した場合、図１１に示す処理を開始する（ステップ２２０）。ここで、１ｘＮＷＳＳ切替制御ブロック１４６は、光ゲート処理実行フラグがＯＮであることを示す情報を保持する。
【０２００】
ステップ２２０の後、ＯＸＣ装置１０３−３の１ｘＮＷＳＳ切替制御ブロック１４６は、引数ｓに初期値を格納する（ステップ２２１）。本実施形態における初期値は、０である。
【０２０１】
ステップ２２１の後、１ｘＮＷＳＳ切替制御ブロック１４６は、光信号の波長毎に図１１に示す処理を実行するため、引数ｓに１を加算する（ステップ２２２）。ステップ２２２の後、１ｘＮＷＳＳ切替制御ブロック１４６は、ノード監視制御機能部１１６から送信された光波長パス設定に、ｓ番目の波長がパスを切替えるべき光信号の波長として含まれているか否かを判定する（ステップ２２３）。
【０２０２】
ノード監視制御機能部１１６から送信された光波長パス設定に、ｓ番目の波長がパスを切替えるべき光信号の波長として含まれている場合、１ｘＮＷＳＳ切替制御ブロック１４６は、自らのＯＸＣ装置１０３−３において光信号を遮断する必要があるか否かを判定するため、ステップ２２４に移行する。
【０２０３】
ノード監視制御機能部１１６から送信された光波長パス設定に、ｓ番目の波長がパスを切替えるべき光信号の波長として含まれていない場合、１ｘＮＷＳＳ切替制御ブロック１４６は、ｓ番目の波長の光信号を遮断しないため、ステップ２２８に移行する。
【０２０４】
ステップ２２３の後、１ｘＮＷＳＳ切替制御ブロック１４６は、光ゲート処理実行フラグがＯＮであるか否かを判定する（ステップ２２４）。
【０２０５】
光ゲート処理実行フラグがＯＮである場合、１ｘＮＷＳＳ切替制御ブロック１４６は、光信号の光レベルが一定になっているか否かを判定するため、ステップ２２６に移行する。光ゲート処理実行フラグがＯＮである場合に、ステップ２２６に移行することによって、１ｘＮＷＳＳ切替制御ブロック１４６は、光信号を１ｘＮＷＳＳ１２７に遮断させることができる。
【０２０６】
光ゲート処理実行フラグがＯＮではない場合、すなわち、光ゲート処理実行フラグがＯＦＦである場合、１ｘＮＷＳＳ切替制御ブロック１４６は、光信号を遮断する必要がない。このため、１ｘＮＷＳＳ切替制御ブロック１４６は、光波長パス設定によって指定された波長の光信号が通過できるようするため、１ｘＮＷＳＳ１２７にパスの切替えを指示する（ステップ２２５）。
【０２０７】
ステップ２２４の後、１ｘＮＷＳＳ切替制御ブロック１４６は、光レベル収束判定ブロック１４５から送信された情報に基づいて、光レベルモニタ結果受信ブロック１３３によって取得された、ｓ番目の波長の光信号の光レベルが一定値に収束したか否かを判定する（ステップ２２６）。光レベルモニタ結果受信ブロック１３３によって取得された光レベルが一定値に収束した場合、１ｘＮＷＳＳ切替制御ブロック１４６は、光ゲート処理実行フラグを削除し、光ゲート処理実行フラグがＯＦＦであることを示す情報を保持する（ステップ２２７）。
【０２０８】
これによって、１ｘＮＷＳＳ切替制御ブロック１４６は、１ｘＮＷＳＳ１２７に送信される光信号が不安定である場合、１ｘＮＷＳＳ１２７にパスを切替える指示を送信しないことによって、１ｘＮＷＳＳ１２７において、ｓ番目の波長の光信号を遮断する。一方で、１ｘＮＷＳＳ１２７に送信される光信号が安定している場合、１ｘＮＷＳＳ１２７にパスを切替える指示を送信し、１ｘＮＷＳＳ１２７にｓ番目の波長の光信号を通過させる。
【０２０９】
ステップ２２６において、光レベルが一定値に収束していないと判定された場合、１ｘＮＷＳＳ切替制御ブロック１４６は、ｓ番目の波長の光信号の遮断を１ｘＮＷＳＳ１２７に継続させるため、ステップ２２８に移行する。
【０２１０】
ステップ２２５、ステップ２２７、又は、ステップ２２６の後、１ｘＮＷＳＳ切替制御ブロック１４６は、引数ｓの値が光信号の最大波長多重数と一致しているか否かを判定する（ステップ２２８）。１ｘＮＷＳＳ切替制御ブロック１４６は、光信号の最大波長多重数を、管理者等によってあらかじめ指定される。
【０２１１】
引数ｓの値が光信号の最大波長多重数と一致していない場合、光信号の波長のうち、ｓ番目以外の波長の光信号にもステップ２２３〜ステップ２２７の処理を実行するため、１ｘＮＷＳＳ切替制御ブロック１４６は、ステップ２２２に戻る。
【０２１２】
引数ｓの値が光信号の最大波長多重数と一致している場合、光信号のすべての波長にステップ２２３〜ステップ２２７の処理を実行したため、１ｘＮＷＳＳ切替制御ブロック１４６は、ステップ２２１に戻る。これによって、１ｘＮＷＳＳ切替制御ブロック１４６は、光信号のすべての波長に、繰り返しステップ２２３〜ステップ２２７の処理を実行できる。
【０２１３】
前述の処理によって１ｘＮＷＳＳ切替制御ブロック１４６は、各波長の光信号が安定した場合、ステップ２２６及びステップ２２７において、光ゲート処理実行フラグをＯＦＦにすることができるため、待機時間７を待機することなく、光信号を通過させることができる。
【０２１４】
（第５の実施形態）
第４の実施形態におけるＯＸＣ装置１０３−３は、１ｘＮＷＳＳ１２７の入力ポート側に１ｘＮＷＳＳ切替制御部１４３を有するため、パスの末端の光ノードに配置されることによって、光信号がトランスポンダに送信される直前に光信号を遮断することができる。
【０２１５】
図１２は、本発明の第５の実施形態のＯＳＳ１１４が待機時間を待つことなく各光ノードに光スイッチ切替指示を送信する処理を示すシーケンス図である。
【０２１６】
図１２におけるＯＳＳ１１４は、図１に示す光ネットワークの光信号のパスにおいて、光信号が最後に通過する光スイッチを有する光ノードに光ゲート処理実行フラグを送信する。すなわち、Ｅ局に光ゲート処理実行フラグを送信する。また、パス開通処理が開始された後、Ａ局〜Ｅ局へ光スイッチ切替指示を送信する。
【０２１７】
図１２におけるＡ局〜Ｅ局は、図１に示す光ネットワークに備わる。また、Ａ局、Ｂ局、Ｄ局及びＥ局は、ポート数Ｎ＝２のＯＸＣ装置１０３−３である。Ｃ局は、ポート数Ｎ＝４のＯＸＣ装置１０３−３である。
【０２１８】
なお、Ａ局〜Ｄ局は、第１の実施形態のＯＸＣ装置１０３−１、又は、ＯＸＣ装置１０３−２でもよい。Ａ局〜Ｄ局が第１の実施形態のＯＸＣ装置１０３−１、又は、ＯＸＣ装置１０３−２である場合、Ａ局〜Ｄ局に送信される光波長パス設定には、１ｘＮＷＳＳ１２７のパスの切替えを示す情報は含まれない。
【０２１９】
図１２に示す処理と図１０に示す処理とは、以下に示す相違点以外、同じ処理である。
【０２２０】
図１２に示す処理と図１０に示す処理との相違点は、Ｅ局に光ゲート処理実行フラグを送信する点である。光ゲート処理実行フラグが送信された場合、Ｅ局は、待機時間８の間、光信号を遮断する。待機時間８は、Ａ局〜Ｄ局のＮｘ１ＷＳＳ１２６及びＢ局〜Ｄ局の１ｘＮＷＳＳ１２７のパスが切り替わり、Ｅ局の１ｘＮＷＳＳ１２７の入力光信号が安定するまでの時間である。
【０２２１】
第５の実施形態によれば、光信号が通過するパスのうち、光信号が最後に通過する光スイッチを有する光ノードに光ゲート処理実行フラグを送信することによって、光信号を受信するトランスポンダにおけるオーバーシュートの発生を、未然に防ぐことができる。
【０２２２】
すなわち、光信号が分岐される直前に、安定した光信号が送信されるまで光信号が遮断されるため、光ゲート処理実行フラグが送信された光ノードは、Ｅ局のトランスポンダに第４の実施形態よりも安定した光信号を送信することができる。
【０２２３】
なお、第５の実施形態のＥ局は、待機時間８の経過後に光信号を分岐させたが、図１１に示す処理を行うことによって、待機時間８を経過する前に光信号を分岐させてもよい。
【０２２４】
（第６の実施形態）
図１３は、本発明の第６の実施形態のＯＳＳ１１４が待機時間を待つことなく各光ノードに光スイッチ切替指示を送信する処理を示すシーケンス図である。
【０２２５】
図１３におけるＯＳＳ１１４は、図１に示す光ネットワークの光信号のパスにおいて、複数の光ノードに光ゲート処理実行フラグを送信する。また、パス開通処理が開始された後、Ａ局〜Ｅ局へ光スイッチ切替指示を送信する。
【０２２６】
図１３におけるＡ局〜Ｅ局は、図１に示す光ネットワークに備わる。また、Ａ局、Ｂ局、Ｄ局及びＥ局は、ポート数Ｎ＝２のＯＸＣ装置１０３−３である。Ｃ局は、ポート数Ｎ＝４のＯＸＣ装置１０３−３である
なお、Ａ局、Ｂ局及びＤ局は、第１の実施形態のＯＸＣ装置１０３−１、又は、ＯＸＣ装置１０３−２でもよい。Ａ局、Ｂ局及びＤ局が第１の実施形態のＯＸＣ装置１０３−１、又は、ＯＸＣ装置１０３−２である場合、Ａ局、Ｂ局及びＤ局に送信される光波長パス設定には、１ｘＮＷＳＳ１２７のパスの切替えを示す情報は含まれない。
【０２２７】
図１３に示す処理と図１０に示す処理とは、以下に示す相違点以外、同じ処理である。
【０２２８】
図１３に示す処理と図１０に示す処理との相違点は、Ｃ局及びＥ局に光ゲート処理実行フラグを送信する点である。光ゲート処理実行フラグを送信された場合、Ｃ局は、待機時間９の間、光信号を遮断する。待機時間９は、Ａ局〜Ｂ局のＮｘ１ＷＳＳ１２６、並びに、Ｂ局の１ｘＮＷＳＳ１２７のパスが切り替わり、Ｃ局の１ｘＮＷＳＳ１２７の入力光信号が安定するまでの時間である。
【０２２９】
また、Ｅ局は、光ゲート処理実行フラグを受信した場合、Ｃ局の１ｘＮＷＳＳ１２７の入力光信号が安定するまでの待機時間９と、Ｃ局、Ｄ局のＮｘ１ＷＳＳ１２６、並びに、Ｃ局及びＤ局の１ｘＮＷＳＳ１２７から出力される光信号が安定し、Ｅ局の１ｘＮＷＳＳ１２７の入力光信号が安定するまでの待機時間１０とを加算した時間、光信号を遮断する。待機時間９及び待機時間１０は、あらかじめ管理者等によって定められた所定の時間である。
【０２３０】
これによって、Ａ局及びＢ局を通過した光信号が不安定であっても、Ｃ局及びＥ局によって光信号が遮断されるため、Ｅ局のトランスポンダに不安定な光信号が送信されない。すなわち、光信号が送信されるパスの末端のトランスポンダにおけるオーバーシュートの発生を未然に防ぎ、かつ、光信号が通過する光ノードにおけるオーバーシュートも未然に防ぐことができる。
【０２３１】
第６の実施形態において、Ｅ局が光信号を遮断する時間は、Ｃ局の１ｘＮＷＳＳ１２７から出力される光信号が安定する待機時間９と、Ｅ局の１ｘＮＷＳＳ１２７から出力される光信号が安定する待機時間１０との合計値である。このため、第６の実施形態における光信号を遮断する時間は、第４及び第５の実施形態における光信号を遮断する時間よりも長い。しかし、複数の光ノードに光ゲート処理実行フラグを送信することによって、光信号のパスの途中において発生するオーバーシュートを、未然に防ぐことができる。
【０２３２】
このため、光信号のパスの途中において発生するオーバーシュートが、光ネットワークの伝送品質に影響を及ぼすような場合、第６の実施形態を用いることによって、伝送品質の劣化を防ぐことができる。
【０２３３】
なお、図１３において、ＯＳＳ１１４は、Ｃ局及びＥ局の二つの光ノードに光ゲート処理実行フラグを送信したが、例えば、Ｂ局及びＥ局、又は、Ｂ局及びＤ局の二つの光ノードに光ゲート処理実行フラグを送信してもよい。
【０２３４】
また、第１〜第６の実施形態は、一つの光ネットワークにおいて実施されてもよい。例えば、Ｅ局が第１の実施形態のＯＸＣ装置１０３−２であり、Ｄ局が第４の実施形態のＯＸＣ装置１０３−３であり、ＯＳＳ１１４が光ゲート処理実行フラグをＤ局に送信してもよい。また、光ゲート処理実行フラグが送信される複数の光ノードに、第１の実施形態のＯＸＣ装置１０３−２、及び、第４の実施形態のＯＸＣ装置１０３−３が含まれてもよい。
【０２３５】
本実施形態によれば、光スイッチ切替指示を、待機時間を待つことなく送信するため、パス開通時間を短縮できる。また、光ノードに並行にパスを切替えさせるため、光信号が通過するまでの待機時間を短縮できる。また、パスが開通する光ノードのうちの一つにおいて、光信号を遮断するため、パスの終点となるトランスポンダにおけるオーバーシュートを未然に防ぐことができる。
【符号の説明】
【０２３６】
１０１  伝送路
１０２  ＯＡＤＭ装置
１０３  ＯＸＣ装置
１０５  受信光増幅器
１０６  送信光増幅器
１１３  光カプラ
１１４  ＯＳＳ
１１５  ＤＣＮ
１１６  ノード監視制御機能部
１１７−１  通信制御部
１１７−２  通信制御部
１１８−１  プロセッサ
１１８―２  プロセッサ
１１９  構成管理情報格納部
１２０  波長パス情報格納部
１２３、１２３−１〜１２３−Ｎ  Ｎｘ１ＷＳＳ機能部
１２４  ＷＳＳ損失値情報格納部
１２５  １ｘＮ光カプラ
１２６  Ｎｘ１ＷＳＳ
１２７  １ｘＮＷＳＳ
１２８  光インタフェース機能部
１２９  光チャネルモニタ（Ｏｐｔｉｃａｌ  Ｃｈａｎｎｅｌ  Ｍｏｎｉｔｏｒ；ＯＣＭ）
１３０  Ｎｘ１ＷＳＳ切替制御部
１３１  光レベル一定制御部
１３２  光波長パス設定情報受信ブロック
１３３  光レベルモニタ結果受信ブロック
１３４  Ｎｘ１ＷＳＳ減衰量演算ブロック
１３５  Ｎｘ１ＷＳＳ減衰量設定ブロック
１３８  光レベル一定制御部
１３９  Ｎｘ１ＷＳＳパス設定受信ブロック
１４０  Ｎｘ１ＷＳＳ減衰量演算ブロック
１４１  光レベル収束判定ブロック
１４３  １ｘＮＷＳＳ切替制御部
１４４  １ｘＮＷＳＳパス設定受信ブロック
１４５  光レベル収束判定ブロック
１４６  １ｘＮＷＳＳ切替制御ブロック
【図１】
0005564693.tif 000002
【図２】
0005564693.tif 000003
【図３】
0005564693.tif 000004
【図４】
0005564693.tif 000005
【図５】
0005564693.tif 000006
【図６】
0005564693.tif 000007
【図７】
0005564693.tif 000008
【図８】
0005564693.tif 000009
【図９】
0005564693.tif 000010
【図１０】
0005564693.tif 000011
【図１１】
0005564693.tif 000012
【図１２】
0005564693.tif 000013
【図１３】
0005564693.tif 000014